(57)【特許請求の範囲】
【請求項１】
ワイヤレス通信システム（５００）において送信ノード（５６０）により受信ノード（５４０）へ送信される情報搬送信号を受信するための、前記受信ノード（５４０）における方法であって、前記情報搬送信号を前記受信ノード（５４０）へ送信するために複数の送信構成が利用可能であり、前記方法は、
前記送信ノード（５６０）から、複数のあり得るミューティング構成の中の少なくとも１つのミューティング構成を前記受信ノード（５４０）に対して識別する動的構成メッセージを受信すること（９１０）と、前記少なくとも１つのミューティング構成は、前記受信ノード（５４０）への前記情報搬送信号の前記送信のために前記送信ノード（５６０）により前記複数の送信構成から選択される送信構成に対応することと、
前記送信ノード（５６０）から、前記情報搬送信号を受信すること（９２０）と、
前記少なくとも１つのミューティング構成によりミューティングされるものとして識別される時間−周波数リソースエレメント（ＴＦＲＥ）上で前記受信ノード（５４０）により復号されることが期待される情報が送信されないこと、を前提とすることにより、前記少なくとも１つのミューティング構成を考慮して、受信した前記情報搬送信号を復号すること（９３０）と、
を含む方法。
【請求項２】
前記少なくとも１つのミューティング構成は、前記動的構成メッセージ内のインジケータにより識別される、請求項１に記載の方法。
【請求項３】
前記インジケータは、ダウンリンク制御情報（ＤＣＩ）フォーマット内の１つ以上のビットを含む、請求項２に記載の方法。
【請求項４】
前記少なくとも１つのミューティング構成は、ゼロ電力のチャネル状態情報リファレンス信号（ＣＳＩ−ＲＳ）の構成を含む、請求項１〜３のいずれかに記載の方法。
【請求項５】
前記少なくとも１つのミューティング構成は、少なくとも１つのセル固有リファレンス信号（ＣＲＳ）構成のＴＦＲＥ及び／又はある直交周波数分割多重（ＯＦＤＭ）シンボルのすべてのＴＦＲＥをカバーする、請求項４に記載の方法。
【請求項６】
前記複数のミューティング構成は、ゼロ電力のＣＳＩ−ＲＳで構成可能なＴＦＲＥをカバーするミューティング構成を含む、請求項１〜５のいずれかに記載の方法。
【請求項７】
前記複数のミューティング構成は、少なくとも１つのＣＲＳ構成のＴＦＲＥをカバーする少なくとも１つのミューティング構成を含む、請求項６に記載の方法。
【請求項８】
前記複数のミューティング構成は、あるＯＦＤＭシンボルのすべてのＴＦＲＥをカバーする少なくとも１つのミューティング構成を含む、請求項６〜７のいずれかに記載の方法。
【請求項９】
前記少なくとも１つのミューティング構成は、所与の時点において前記受信ノード（５４０）へ送信を行っている１つ以上の特定の送信地点にとって望ましいミューティングパターンにマッチするように調整されるＴＦＲＥのミューティングパターンである、請求項１〜８のいずれかに記載の方法。
【請求項１０】
前記所与の時点は、前記動的構成メッセージが前記送信ノード（５６０）から受信される現行のサブフレームであり、前記現行のサブフレーム内での前記情報搬送信号の復号のために前記ミューティングパターンが適用される、請求項９に記載の方法。
【請求項１１】
現行のサブフレームにおいて前記送信ノード（５６０）から受信される前記動的構成メッセージにおいて識別される前記少なくとも１つのミューティング構成が、前記現行のサブフレーム内の前記情報搬送信号の復号のために適用される、請求項１〜８のいずれかに記載の方法。
【請求項１２】
前記情報搬送信号は、前記送信ノード（５６０）から、１つ以上の送信地点（５１０、５２０、５３０）を介して協調送信で受信される、請求項１〜１１のいずれかに記載の方法。
【請求項１３】
前記協調送信は、協調マルチポイント送信である、請求項１２に記載の方法。
【請求項１４】
前記受信ノード（５４０）はサービングセルによりサービスされるユーザ機器（ＵＥ）であり、前記送信ノード（５６０）はｅＮｏｄｅＢであり、前記少なくとも１つのミューティング構成は、前記動的構成メッセージ内で受信される前記インジケータ、前記ＵＥの前記サービングセルのシステム情報、及び／又は前記ｅＮｏｄｅＢから前記ＵＥへの専用の無線リソース制御メッセージ、から決定される、請求項２、又は請求項２に従属する場合における請求項３〜１３のいずれかに記載の方法。
【請求項１５】
前記受信ノード（５４０）はサービングセルによりサービスされるユーザ機器（ＵＥ）であり、前記送信ノード（５６０）はｅＮｏｄｅＢであり、物理ダウンリンク共有チャネルのリソースエレメントマッピングを特定する情報が、前記少なくとも１つのミューティング構成と、物理ダウンリンク制御チャネルにより占有されるＯＦＤＭシンボルの数に関する情報と、ＣＲＳにより占有されるＴＦＲＥと、構成される非ゼロ電力のＣＳＩ−ＲＳと、のうちの１つ以上を含む、請求項１〜１３のいずれかに記載の方法。
【請求項１６】
ワイヤレス通信システム（５００）において受信ノード（５４０）へ情報搬送信号を送信するための、送信ノード（５６０）における方法であって、前記情報搬送信号を前記受信ノード（５４０）へ送信するために複数の送信構成が利用可能であり、前記方法は、
前記複数の送信構成の中の少なくとも１つの送信構成に各々が対応する、複数のミューティング構成を決定すること（９４０）と、
前記複数の送信構成から、前記受信ノード（５４０）へ前記情報搬送信号を送信するための送信構成を選択すること（９５０）と、
前記複数のミューティング構成のうち選択された前記送信構成に対応する少なくとも１つのミューティング構成を前記受信ノード（５４０）に対して識別する動的構成メッセージを前記受信ノードへ送信すること（９６０）と、
前記情報搬送信号を前記受信ノード（５４０）へ前記選択された送信構成に従う送信で送信すること（９７０）と、前記送信は、識別された前記少なくとも１つのミューティング構成に従ってミューティングされることと、
を含む方法。
【請求項１７】
前記少なくとも１つのミューティング構成は、前記動的構成メッセージ内のインジケータにより識別される、請求項１６に記載の方法。
【請求項１８】
前記インジケータは、ダウンリンク制御情報（ＤＣＩ）フォーマット内の１つ以上のビットを含む、請求項１７に記載の方法。
【請求項１９】
前記少なくとも１つのミューティング構成は、ゼロ電力のチャネル状態情報リファレンス信号（ＣＳＩ−ＲＳ）の構成を含む、請求項１６〜１８のいずれかに記載の方法。
【請求項２０】
前記少なくとも１つのミューティング構成は、少なくとも１つのセル固有リファレンス信号（ＣＲＳ）構成のＴＦＲＥ及び／又はある直交周波数分割多重（ＯＦＤＭ）シンボルのすべてのＴＦＲＥをカバーする、請求項１９に記載の方法。
【請求項２１】
前記複数のミューティング構成は、ゼロ電力のＣＳＩ−ＲＳで構成可能なＴＦＲＥをカバーするミューティング構成を含む、請求項１６〜２０のいずれかに記載の方法。
【請求項２２】
前記複数のミューティング構成は、少なくとも１つのＣＲＳ構成のＴＦＲＥをカバーする少なくとも１つのミューティング構成を含む、請求項２１に記載の方法。
【請求項２３】
前記複数のミューティング構成は、あるＯＦＤＭシンボルのすべてのＴＦＲＥをカバーする少なくとも１つのミューティング構成を含む、請求項２１〜２２のいずれかに記載の方法。
【請求項２４】
前記少なくとも１つのミューティング構成は、所与の時点において前記受信ノード（５４０）へ送信を行っている１つ以上の特定の送信地点にとって望ましいミューティングパターンにマッチするように調整されるＴＦＲＥのミューティングパターンである、請求項１６〜２３のいずれかに記載の方法。
【請求項２５】
前記所与の時点は、前記動的構成メッセージが前記送信ノード（５６０）により送信される現行のサブフレームであり、前記現行のサブフレーム内の前記情報搬送信号の復号のために前記ミューティングパターンが前記受信ノード（５４０）により適用される、請求項２４に記載の方法。
【請求項２６】
現行のサブフレームにおいて前記送信ノード（５６０）により送信された前記動的構成メッセージにおいて識別される前記少なくとも１つのミューティング構成が、前記現行のサブフレーム内の前記情報搬送信号の復号のために前記受信ノード（５４０）により適用される、請求項１６〜２３のいずれかに記載の方法。
【請求項２７】
前記情報搬送信号は、前記送信ノード（５６０）により、１つ以上の送信地点（５１０、５２０、５３０）を介して協調送信で送信される、請求項１６〜２６のいずれかに記載の方法。
【請求項２８】
前記協調送信は、協調マルチポイント送信である、請求項２７に記載の方法。
【請求項２９】
前記受信ノード（５４０）はサービングセルによりサービスされるユーザ機器（ＵＥ）であり、前記送信ノード（５６０）はｅＮｏｄｅＢであり、前記少なくとも１つのミューティング構成は、前記動的構成メッセージ内で送信される前記インジケータ、前記ＵＥの前記サービングセルのシステム情報、及び／又は前記ｅＮｏｄｅＢから前記ＵＥへの専用の無線リソース制御メッセージ、により決定される、請求項１７、又は請求項１７に従属する場合における請求項１８〜２８のいずれかに記載の方法。
【請求項３０】
前記受信ノード（５４０）はサービングセルによりサービスされるユーザ機器（ＵＥ）であり、前記送信ノード（５６０）はｅＮｏｄｅＢであり、物理ダウンリンク共有チャネルのリソースエレメントマッピングを特定する情報が、前記少なくとも１つのミューティング構成と、物理ダウンリンク制御チャネルにより占有されるＯＦＤＭシンボルの数に関する情報と、ＣＲＳにより占有されるＴＦＲＥと、構成される非ゼロ電力のＣＳＩ−ＲＳと、のうちの１つ以上を含む、請求項１６〜２８のいずれかに記載の方法。
【請求項３１】
送信ノード（５６０）から情報搬送信号を受信するための受信ノード（５４０、１１００）であって、前記受信ノード（５４０、１１００）は、ワイヤレス通信システム（５００）において前記送信ノード（５６０）と通信するよう構成可能であり、前記情報搬送信号を前記受信ノード（５４０、１１００）へ送信するために複数の送信構成が利用可能であり、前記受信ノード（５４０、１１００）は、
無線回路（１１１０）と、
複数のあり得るミューティング構成の中の少なくとも１つのミューティング構成を前記受信ノード（５４０、１１００）に対して識別する動的構成メッセージを前記無線回路（１１１０）を介して前記送信ノード（５６０）から受信するよう構成される処理回路（１１２０）と、
を備え、
前記少なくとも１つのミューティング構成は、前記受信ノード（５４０）への前記情報搬送信号の前記送信のために前記送信ノード（５６０）により前記複数の送信構成から選択される送信構成に対応し、
前記処理回路（１１２０）は、前記情報搬送信号を前記送信ノード（５６０）から前記無線回路（１１１０）を介して受信し、前記少なくとも１つのミューティング構成によりミューティングされるものとして識別される時間−周波数リソースエレメント（ＴＦＲＥ）上で前記受信ノード（５４０、１１００）により復号されることが期待される情報が送信されないこと、を前提とすることにより、前記少なくとも１つのミューティング構成を考慮して、受信した前記情報搬送信号を復号する、ように構成される、
受信ノード。
【請求項３２】
現行のサブフレームにおいて前記送信ノード（５６０）から受信される前記動的構成メッセージにおいて識別される前記少なくとも１つのミューティング構成が、前記現行のサブフレーム内の前記情報搬送信号の復号のために適用される、請求項３１に記載の受信ノード（５４０、１１００）。
【請求項３３】
受信ノード（５４０）へ情報搬送信号を送信するための送信ノード（５６０、１０００）であって、前記送信ノード（５６０、１０００）は、ワイヤレス通信システム（５００）において前記受信ノード（５４０）と通信するために無線回路（１０１０）に接続可能であるように構成され、前記情報搬送信号を前記無線回路（１０１０）を介して前記受信ノード（５４０）へ送信するために複数の送信構成が利用可能であり、前記送信ノード（５６０、１０００）は、
前記複数の送信構成の中の少なくとも１つの送信構成に各々が対応する、複数のミューティング構成を決定し、及び、前記複数の送信構成から、前記情報搬送信号を前記受信ノード（５４０）へ送信するための送信構成を選択するよう構成される処理回路（１０２０）、を備え、
前記処理回路（１０２０）は、前記複数のミューティング構成の中から、選択した前記送信構成に対応する少なくとも１つのミューティング構成を前記受信ノード（５４０）に対して識別する動的構成メッセージを、前記無線回路（１０１０）を介して前記受信ノード（５４０）へ送信し、前記選択した送信構成に従う、識別された前記少なくとも１つのミューティング構成に従ってミューティングされる送信で、前記情報搬送信号を前記受信ノード（５４０）へ、前記無線回路（１０１０）を介して送信する、ようにさらに構成される、
送信ノード。
【請求項３４】
前記無線回路（１０１０）は、前記送信ノード（５６０、１０００）に含まれる、請求項３３に記載の送信ノード（５６０、１０００）。
【請求項３５】
現行のサブフレームにおいて前記送信ノード（５６０）により送信された前記動的構成メッセージにおいて識別される前記少なくとも１つのミューティング構成が、前記現行のサブフレーム内の前記情報搬送信号の復号のために前記受信ノード（５４０）により適用される、請求項３３又は請求項３４に記載の送信ノード（５６０、１０００）。
【発明の詳細な説明】
【技術分野】
【０００１】
本開示は、一般に、ワイヤレス通信システムにおける方法及び構成に関する。具体的には、本開示は、情報搬送信号を送信するために複数の送信構成が利用可能なワイヤレス通信システムにおける情報搬送信号の送信及び受信に関する。
【背景技術】
【０００２】
例えば、高データレートのカバレッジを改善し、セルエッジのスループットを改善し及び／又はシステムスループットを増加することにより、システム性能を改善するために、協調マルチポイント（ＣｏＭＰ）送信及び／又は受信が、ワイヤレス通信システム又は無線アクセスネットワークにおいて使用され得る。ワイヤレス通信システム又はセルラ無線通信システムにおいて、移動端末及び／又はワイヤレス端末としても知られるワイヤレスデバイス及び／又はユーザ機器は、１つ以上のコアネットワークと無線アクセスネットワーク（ＲＡＮ）を介して通信する。ユーザ機器は、“セルラ”電話としても知られる携帯電話、及び、例えば移動終端といったワイヤレスケイパビリティを伴うラップトップ、などの移動局又はユーザ機器ユニットであってよく、よって、無線アクセスネットワークを介して音声及び／又はデータを通信する、例えばポータブルな、ポケット型の、手持ち型の、コンピュータ内蔵型の又は車載型の移動デバイスであってよい。ワイヤレスデバイスは、ワイヤレス通信のためにＲＡＮへ無線で接続可能ないかなる機器であってもよい。
【０００３】
無線アクセスネットワークは１つの地理的エリアをカバーし、地理的エリアは旧来「セル」と称される複数の地点カバレッジエリアに分割され、各地点カバレッジエリアすなわち各セルは、１つの基地局、例えば無線基地局（ＲＢＳ）によりサービスされる。基地局は、ネットワークによっては、“ｅＮＢ”、“ｅＮｏｄｅＢ”、“ＮｏｄｅＢ”、又は“Ｂノード”とも呼ばれ、本明細書においては、基地局又は無線ネットワークノードとしても言及される。地点カバレッジエリアは、“送信地点”及び／又は“受信地点”としても言及される１つの地点により無線カバレッジが提供される地理的エリアであり、当該地点は、基地局サイト又は無線ネットワークノードサイトにおいて無線基地局又は無線ネットワークノードにより制御される。地点カバレッジエリアはしばしば「セル」とも称され、セルの概念には、アーキテクチャ的な意味合い、並びに、何らかのリファレンス信号及びシステム情報の送信も含まれる。より具体的には、複数の地点カバレッジエリアは、共同で、同じ物理セルＩＤを共有する単一の論理セルを形成し得る。しかしながら、以下では、“セル”という表記は“地点カバレッジエリア”と互換可能に使用され、後者の意味を有する。さらに、本開示では、地点、すなわち“送信地点”及び／又は“受信地点”は、実質的に同じ地理的エリアを同様の方法でカバーする複数のアンテナの１セットに対応する。よって、１つの地点は、基地局サイトなどの１つのサイトにおける複数のセクターのうちの１つに対応するかも知れないし、或いは、１つ以上のアンテナを有しそれらのアンテナすべてがほぼ同じ地理的エリアをカバーすることを意図している１つのサイトにも対応し得る。異なる地点はしばしば、異なるサイトを表す。アンテナ同士が地理的に十分に隔てられており、及び／又はそれらのアンテナダイヤグラムが十分に異なる方向を指している場合、複数のアンテナは、異なる地点に対応する。
【０００４】
無線ネットワークノードは、当該無線ネットワークノードのレンジ内にあるユーザ機器と、エアインタフェース又は無線インタフェースを通じて通信する。１つの無線ネットワークノードは、無線周波数で動作する１つ以上のアンテナを介して１つ以上のセルをサービスし得る。セルは、例えば、異なるカバレッジエリアを有するマクロセル及びピコセルとして、互いに重複して配置されていてもよい。或いは、セルは、例えば、無線ネットワークノードによりサービスされるセル各々が当該無線ネットワークノードによりカバーされる全エリア又はレンジのうちの一区画をカバーする、いわゆるセクターセルとして、互いに隣接していてもよい。互いに対し隣接して又は重複して配置されているセルは、代替的に又は追加的に、同じ場所に位置し得る又は地理的に隔てられ得る、異なる又は別個の無線ネットワークノードにより、サービスされてもよい。
【０００５】
無線ネットワークノードにより制御される１つ以上のアンテナは、当該無線ネットワークノードのサイトに位置していてもよいし、当該無線ネットワークノードのサイトからも互いのアンテナサイトからも地理的に隔てられ得る複数のアンテナサイトに位置していてもよい。また、各アンテナサイトに１つ以上のアンテナがあってもよい。１つのアンテナサイトにおける１つ以上のアンテナは、同じ地理的エリアをカバーするアンテナアレイとして配置されてもよいし、当該アンテナサイトにおける異なるアンテナが異なる地理的カバレッジを有するように配置されてもよい。また、アンテナアレイは、当該アンテナアレイと比べて異なる地理的カバレッジを有するアンテナ群と、１つのアンテナサイトに一緒に位置していてもよい。この後の説明では、ある特定の地理的エリアをカバーするアンテナ又はアンテナアレイは、地点、又は送信及び／もしくは受信地点として、或いは、本開示のコンテキストではより具体的に「送信地点」（ＴＰ）として言及される。このコンテキストでは、複数の送信地点は、同じ物理アンテナエレメントを共有してもよいが、様々な仮想化、例えば、様々なビーム方向を使用することができる。
【０００６】
通信、すなわち無線アクセスネットワークとユーザ機器との間の信号の送受信は、同じ又は異なる無線ネットワークノードにより制御され得る１つ以上の送信及び／又は受信地点を介して、通信リンク又は通信チャネルにわたって行われ得る。よって、例えば、１つのアンテナアレイ内の２つ以上のアンテナから１つの送信地点を介して送信されるか、又は各送信地点における１つのアンテナから２つ以上の送信地点を介して送信されることにより、１つの信号が複数のアンテナから送信されてもよい。通信リンク上での送信信号と対応する受信信号との間のカップリングは、無線伝搬チャネルと、アンテナ利得と、あり得る何らかのアンテナ仮想化とを含む実効チャネルとしてモデル化され得る。アンテナ仮想化は、おそらくは異なる利得及び位相を有する複数の物理アンテナ上で送信できるように信号をプリコーディングすることにより得られる。通信リンク上の送信及び受信を無線伝搬条件に適合させるために、リンク適応が使用され得る。
【０００７】
アンテナポートは、“仮想”アンテナであり、アンテナポート固有のリファレンス信号により定義される。アンテナポートは、当該アンテナポート上のあるシンボルが伝達されるチャネルを同じアンテナポート上の別のシンボルが伝達されるチャネルから推論することができるように、定義される。１つのアンテナポートに対応する信号はいくつかの物理アンテナによって送信されるかも知れず、それらの物理アンテナもまた地理的に分散され得る。換言すれば、１つのアンテナポートは、１つ又はいくつかの送信地点にわたって仮想化され得る。逆に、１つの送信地点は、１つ又はいくつかのアンテナポートを送信し得る。
【０００８】
マルチアンテナ技術は、ワイヤレス通信システムのデータレート及び信頼性を大いに高めることができる。その性能は、送信側及び受信側の両方が複数のアンテナを備えている場合に特に改善され、それにより、多入力多出力（ＭＩＭＯ）通信チャネルがもたらされる。このようなシステム及び／又は関連する技術は、一般に、ＭＩＭＯとして言及される。
【０００９】
ＬＴＥ（Long  Term  Evolution）標準は、現在、拡張ＭＩＭＯサポートとともに進化し続けている。ＬＴＥにおける核となる構成要素は、ＭＩＭＯアンテナ配備及びＭＩＭＯ関連技術のサポートである。ＬＴＥ−Ａｄｖａｎｃｅｄ、すなわち３ＧＰＰリリース１０、において現在作業中の前提（assumption）は、おそらくはチャネル依存プリコーディングを伴う、８レイヤの空間多重化モードのサポートである。空間多重化モードは、良好なチャネル条件において高いデータレートを目指す。図１に、空間多重化モードの例図を示す。ここでは、情報搬送シンボルベクトルｓで表される送信信号が、ＮＴ×ｒプリコーダ行列ＷＮＴ×ｒで乗算される。このプリコーダ行列は、ＮＴ個のアンテナポートに対応するＮＴ次元のベクトル空間の部分空間において送信エネルギーを分散させる役割を果たす。プリコーダ行列は、典型的に、あり得る複数のプリコーダ行列のコードブックから選択され、典型的に、プリコーダ行列インジケータ（ＰＭＩ）によって示される。このＰＭＩとランクインジケータ（ＲＩ）とで、コードブック内の一意のプリコーダ行列が特定される。プリコーダ行列が正規直交列を有するよう制限される場合には、プリコーダ行列のコードブックの設計は、グラスマニアン部分空間パッキング問題に相当する。ｓにおけるｒ個のシンボルは、各々、シンボルストリームの一部、いわゆるレイヤであり、ｒは、ランク又は送信ランクとして言及される。このようにして空間多重化が達成されるが、これは、複数のシンボルを同じリソースエレメント（ＲＥ）又は時間−周波数リソースエレメント（ＴＦＲＥ）上で同時に送信できるためである。シンボルの数ｒは、典型的に、現行のチャネル特性に合うように適合される。
【００１０】
ＬＴＥは、ダウンリンクでは直交周波数分割多重（ＯＦＤＭ）を使用し、アップリンクでは離散型フーリエ変換（ＤＦＴ）プリコード化ＯＦＤＭを使用する。基本的なＬＴＥの物理リソースは、図２に示されるように、時間−周波数グリッドとみなすことができる。ここで、各々の時間−周波数リソースエレメント（ＴＦＲＥ）は、特定のアンテナポート上の、１つのＯＦＤＭシンボルインターバル中の１つのサブキャリアに対応する。ＬＴＥにおけるリソース割り当ては、リソースブロックの観点において記述され、１つのリソースブロックは、時間ドメインでは１つのスロットに相当し、周波数ドメインでは１２個の連続的な１５ｋＨｚのサブキャリアに相当する。２つの時間的に連続したリソースブロックは、１つのリソースブロックペアを表し、これは、スケジューリングが動作する時間インターバルに対応する。
【００１１】
サブキャリアｎ上のある特定のリソースエレメント、又は違う言葉で表現すれば、データＲＥ番号ｎもしくはＴＦＲＥ番号ｎ、について受信されるＮＲ×１ベクトルｙｎは、セル間の干渉がないという前提で、次のようにモデル化される。
【００１２】
【数１】
0006329133.tif 000002
【００１３】
ここで、ｎは、時間及び周波数における送信機会を表し、ｅｎは、任意のプロセスの実現で得られるノイズ及び干渉のベクトルである。ランクｒについてのプリコーダ又はプリコーダ行列であるＷＮＴ×ｒは、広帯域のプリコーダであることができ、これは、周波数全域で一定であってもよいし、周波数選択的であってもよい。
【００１４】
プリコーダ行列は、多くの場合、チャネル行列とも称されるＮＲ×ＮＴのＭＩＭＯチャネルＨｎの特性に適合するように選択され、結果として、いわゆるチャネル依存プリコーディングとなる。ユーザ機器（ＵＥ）フィードバックに基づく場合、これは、一般に、閉ループプリコーディングとしても言及され、送信されるエネルギーの多くをＵＥ又はワイヤレスデバイスへ伝達するという意味で強力である部分空間内へと送信エネルギーを集中させることを本来、目指す。加えて、プリコーダ行列は、チャネルの直交化を目指して選択されてもよい。これは、ＵＥ又はワイヤレスデバイスにおいて適切な線形等化がなされると、レイヤ間干渉が減少することを意味する。
【００１５】
閉ループプリコーディングでは、ＵＥ又はワイヤレスデバイスは、フォワードリンク、すなわちダウンリンク、におけるチャネル測定に基づいて、使用するのに適したプリコーダについての推奨を無線ネットワークノード又は基地局へ送信する。大きな帯域幅をカバーするはずである単一のプリコーダ、いわゆる広帯域プリコーディング、をフィードバックしてもよい。チャネルの周波数変動に適合するように、代わりに、周波数選択的なプリコーディングレポート、例えば、いくつかのプリコーダを、サブバンドごとに１つずつフィードバックすることもまた有益であり得る。これは、チャネル状態情報（ＣＳＩ）フィードバックのより一般的なケースの一例であり、当該フィードバックは、ＵＥ又はワイヤレスデバイスへの以降の送信において無線ネットワークノード又は基地局を支援する目的で、プリコーダ以外の他のエンティティ又は情報をフィードバックすることをも包含している。こうした他の情報は、チャネル品質インジケータ（ＣＱＩ）及びランクインジケータ（ＲＩ）を含み得る。
【００１６】
ＬＴＥのリリース８及び９では、ＣＳＩのフィードバックは、送信の「ランクインジケータ」（ＲＩ）、「プリコーダ行列インジケータ」（ＰＭＩ）、及び「チャネル品質インジケータ」（ＣＱＩ）によって与えられる。ＣＱＩ／ＲＩ／ＰＭＩレポートは、どのレポーティングモードで構成されるかによって、広帯域又は周波数選択的であることができる。これは、ＣＳＩのフィードバックについて、ＬＴＥが暗黙の（implicit）ＣＳＩメカニズムを採用していることを意味する。当該メカニズムにおいては、ＵＥは、例えば測定された実効チャネルの複素数成分を明示的にレポートするのではなく、ＵＥは、当該測定された実効チャネルのための送信構成を推奨する。よって、推奨された送信構成は、基礎をなすチャネル状態に関する情報を、暗黙的に与える。
【００１７】
ＲＩは、実効チャネル上で空間多重化され及びそれにより並列に送信されるべき、推奨数のストリームに対応する。ＰＭＩは、実効チャネルの空間特性に関連する、送信のための（コードブックにおける）推奨プリコーダを識別する。ＣＱＩは、推奨されるトランスポートブロックサイズ、すなわちコードレートを表す。よって、ＣＱＩと、トランスポートブロックが送信される空間ストリームの信号対干渉及びノイズ比（ＳＩＮＲ）との間には関係がある。このため、例えばＣＱＩを推定する場合、ノイズ及び干渉の推定値は重要な数量である。ＣＱＩは、典型的に、ＵＥ又はワイヤレスデバイスによって推定され、無線ネットワークノード又は基地局側でリンク適応及びスケジューリングの決定のために使用される。
【００１８】
（１）における項ｅｎは、ＴＦＲＥにおけるノイズ及び干渉を表し、典型的に、分散及び相関といった二次統計の観点で特性化される。干渉は、いくつかの方法で推定できる。例えば、干渉は、既知のセル固有リファレンス信号（ＣＲＳ）シーケンスが事前に減算された後、すなわちＣＲＳがキャンセルされた後に、ＣＲＳのＴＦＲＥ上の残留ノイズ及び干渉として推定できる。図３に、ＬＴＥのリリース８についてのＣＲＳを図示する。
【００１９】
ＬＴＥのリリース１０で、新しいリファレンスシンボルシーケンスが導入された。チャネル状態情報リファレンス信号（ＣＳＩ−ＲＳ）といい、チャネル状態情報を推定するために使用されることが意図されている。ＣＳＩ−ＲＳは、以前のリリースにおいて同じ目的のために使用されていたＣＲＳにＣＳＩフィードバックの基礎を置く場合に勝る利点をいくつか提供する。第一に、ＣＳＩ−ＲＳは、データ信号の復調には使用されないため、同じ密度を必要としない。これは、ＣＳＩ−ＲＳのオーバーヘッドが、ＣＲＳのオーバーヘッドと比べて十分に小さいことを意味する。第２に、ＣＳＩ−ＲＳは、ＣＳＩフィードバック測定を構成する、はるかにフレキシブルな手段を提供する。例えば、どのＣＳＩ−ＲＳリソースについて測定するかを、ＵＥ固有の方法で構成できる。さらに、５つ以上のアンテナを有するアンテナ構成は、チャネル測定のためにＣＳＩ−ＲＳに頼らねばならない。何故なら、ＣＲＳは多くとも４つのアンテナについてしか定義されないからである。
【００２０】
リソースブロックペア内のどのリソースエレメントがＵＥ固有のＲＳ及びＣＳＩ−ＲＳによって潜在的に占有され得るか、を示す詳細な例を図４に示す。この例では、ＣＳＩ−ＲＳは、長さ２の直交カバーコードを利用して、２つのアンテナポートを２つの連続するＲＥ上に重複して配置される。図から分かるように、数多くの異なるＣＳＩ−ＲＳパターンが利用可能である。２ＣＳＩ−ＲＳアンテナポートの場合、例えば、１つのサブフレーム内に２０個の異なるパターンがある。対応するパターンの数は、４ＣＳＩ−ＲＳアンテナポートについては１０個であり、８ＣＳＩ−ＲＳアンテナポートについては５個である。
【００２１】
ＣＳＩ−ＲＳリソースは、特定のＣＳＩ−ＲＳ構成がその上で送信されるリソースエレメントのパターン、として記述され得る。ＣＳＩ−ＲＳリソースを決定する１つの方法は、無線リソース制御（ＲＲＣ）シグナリングによって構成され得るパラメータ“resourceConfig”、“subframeConfig”、及び“antennaPortsCount”の組み合わせによる。
【００２２】
ＣＳＩ−ＲＳに関連しているのは、ミューティングされたＣＳＩ−ＲＳとしても知られる、ゼロ電力のＣＳＩ−ＲＳリソースの概念である。ゼロ電力のＣＳＩ−ＲＳリソースは、それらのリソースの周囲にデータ送信がマップされることをＵＥが分かるように、通常のＣＳＩ−ＲＳリソースと同じように構成される。ゼロ電力のＣＳＩ−ＲＳリソースの意図するところは、おそらくは近隣（neighbor）セル／送信地点において送信される、対応する非ゼロ電力のＣＳＩ−ＲＳのＳＩＮＲを増大させるために、対応するリソース上の送信をネットワークがミューティングできるようにすることである。ＬＴＥのリリース１１のために、干渉プラスノイズを測定するためにＵＥが使用することを義務づけられる特別なゼロ電力のＣＳＩ−ＲＳが検討されている最中である。その名が示すように、対象となるＴＰがミューティングされたＣＳＩ−ＲＳリソース上で送信をしていないことをＵＥは前提とすることでき、したがって、受信される電力を干渉プラスノイズのレベルの尺度として使用することができる。干渉測定の改善の目的で、ＬＴＥのリリース１１における合意は、ネットワークが、ＵＥを、対応する干渉測定のために使用されるべき特定のＴＦＲＥのセットを識別する特定の干渉測定リソース（ＩＭＲ）上で干渉を測定するように構成することができる、というものである。
【００２３】
例えばミューティングされたＣＳＩ−ＲＳリソースといった、データ送信のための実効チャネル及び干渉測定構成を定義する特定されたＣＳＩ−ＲＳリソースに基づいて、ＵＥは、実効チャネル及び、ノイズプラス干渉を推定することができ、ひいては、その特定の実効チャネルに最もよく適合するものとしてどのランク、プリコーダ、及びトランスポートフォーマットを推奨するか、もまた決定することができる。
【００２４】
ＣｏＭＰ送信及び受信は、システム性能を改善するために、地理的に隔てられた複数のアンテナサイトにおける送信及び／又は受信が協調されるシステムのことを指す。より具体的には、ＣｏＭＰは、異なる地理的カバレッジエリアを有する複数のアンテナアレイの協調のことを指す。地点同士の協調は、異なるサイト間の直接的な通信によって、又は、中央の協調ノードによって、分散されることができる。さらなる協調の可能性は、“フローティングクラスタ”である。当該クラスタでは、各送信地点が、ある特定のネイバのセット（例えば、２つのネイバ）に接続され、それらのネイバを協調させる。協調送信及び／又は受信を行う地点のセットは、以下で、ＣｏＭＰ協調クラスタ、協調クラスタ、又は単にクラスタ、として言及される。特に、ワイヤレス通信ネットワークにおいてＣｏＭＰを使用することの目標（goal）は、システム内における干渉を、干渉を減少させ及び／又は干渉をより適切に予測することで制御することにより、ユーザによって感知される性能をネットワーク内でより均等に分散させることである。ＣｏＭＰ動作は、セルラマクロ配備内における複数サイト及び複数セクターの間の協調を含む、数多くの異なる配備を対象としており、さらに、例えばマクロノードがマクロカバレッジエリア内のピコノードとの送信を協調させるといった、ヘテロジーニアス配備の様々な構成も対象とする。図５〜図７に、ＣｏＭＰ協調クラスタがＴＰ１、ＴＰ２、及びＴＰ３と称される３つの送信地点を含む、ワイヤレス通信ネットワーク配備の例を示す。ＣｏＭＰという用語は、ときに、異なる送信地点が異なる地理的場所を有することを示唆するものと理解されることがある。しかしながら、本開示の実施形態の目的のためには、協調送信の局面は、協調送信に関与する複数の送信地点が同じ地理的場所を有する状況についても関連する。例えば、このコンテキストでは、複数の送信地点は、同じ物理アンテナエレメントを共有し得るが、本明細書内において送信地点に関する先の説明で触れたように、例えば異なるビーム方向など、異なる仮想化を使用することができる。本開示の以下の説明では一例としてＣｏＭＰに言及するが、ＣｏＭＰは本明細書における教示の利用可能性を限定するものと理解されてはならない。
【００２５】
数多くの異なるＣｏＭＰ送信方式が検討されており、例えば次のようなものがある。
「動的地点ブランキング（Dynamic  Point  Blanking）」−複数の送信地点は、有意な干渉を被るＵＥに割り当てられている時間−周波数リソース（ＴＦＲＥ）上の送信を隣接送信地点がミューティングし得るように、送信を協調させる。
「協調ビーム形成（Coordinated  Beamforming）」−ＴＰは、隣接ＴＰによりサービスされているＵＥへの干渉が抑制されるように送信電力をビーム形成することにより、空間ドメインにおける送信を協調させる。
「動的地点選択（Dynamic  Point  Selection）」−ＵＥへのデータ送信は、送信地点が最大限利用されるように、異なる送信地点間で（時間的及び周波数的に）動的に切り替わり得る。
「結合送信（Joint  Transmission）」−ＵＥへの信号は、複数のＴＰから同じ時間／周波数リソース上で同時に送信される。結合送信（ＪＴ）の目標（aim）は、協調しているＴＰが、上記ＪＴ  ＵＥを考慮に入れずに何らかの他のＵＥにサービスするはずであったところ、そうではなく、受信信号電力を増加させ、及び／又は受信干渉を低減させることである。
【００２６】
複数のＣｏＭＰ送信方式についての共通の特徴（denominator）は、ネットワークが、サービングＴＰのためのみならず、端末又はＵＥを近隣ＴＰにリンクするチャネルのためにもＣＳＩ情報を必要とすることである。例えば、ＴＰごとに一意のＣＳＩ−ＲＳリソースを構成することにより、ＵＥは、各ＴＰのための実効チャネルを、対応するＣＳＩ−ＲＳについて測定することによって解決することができる。ここで留意すべきは、ＵＥは特定のＴＰの物理的存在に気付かないであろうということである。ＵＥは、特定のＣＳＩ−ＲＳリソースとＴＰとの間のいかなる関連付けも知ることなく、ただ、当該ＣＳＩ−ＲＳリソースについて測定するように構成される。
【００２７】
いくつかの異なるタイプのＣｏＭＰフィードバックが可能である。ほとんどの選択肢は、おそらくは複数のＣＳＩ−ＲＳリソースのＣＱＩの集約を伴う、及びおそらくはＣＳＩ−ＲＳリソース間の何らかの種類の位相整合（co-phasing）情報もまた伴う、ＣＳＩ−ＲＳリソースごとのフィードバックに基づいている。以下は、すべてを網羅しているわけではないが、関連する選択肢のリストである（なお、これらの選択肢のいずれの組み合わせも可能である）。
【００２８】
「ＣＳＩ−ＲＳリソースごとのフィードバック（Per  CSI-RS  resource  feedback）」−これは、ＣＳＩ−ＲＳリソースのセットの各々についてのチャネル状態情報（ＣＳＩ）の個別のレポーティングに相当する。このようなＣＳＩレポートは、例えば、「プリコーダ行列インジケータ」（ＰＭＩ）、「ランクインジケータ」（ＲＩ）、及び／又は「チャネル品質インジケータ」（ＣＱＩ）のうちの１つ以上を含み、これらは、関連付けられたＣＳＩ−ＲＳ、又はチャネル測定に用いられるＲＳ、のために使用される同じアンテナ上における仮説のダウンリンク送信のための推奨構成を表す。より一般的には、この推奨される送信は、ＣＳＩチャネル測定に用いられるリファレンスシンボルと同じ方法で、物理アンテナにマップされるべきである。
【００２９】
典型的に、ＣＳＩ−ＲＳとＴＰとは一対一でマッピングされる。この場合、ＣＳＩ−ＲＳリソースごとのフィードバックは、ＴＰごとのフィードバックに対応する。すなわち、各ＴＰについて、別個のＰＭＩ／ＲＩ／ＣＱＩがレポートされる。ここで留意すべきは、ＣＳＩレポート間に相互依存性が存在する可能性があることである。例えば、ＣＳＩレポートは、同じＲＩを有するよう制約される可能性がある。ＣＳＩレポート間の相互依存性には数多くの利点がある。例えば、ＵＥがフィードバックを計算するときサーチスペースが少なくて済む、フィードバックのオーバーヘッドが少なくて済む、及び、ＲＩを再利用する場合に、ｅＮｏｄｅＢにおいてランクオーバライドを行う必要性が小さくなる。
【００３０】
考慮されるＣＳＩ−ＲＳリソースは、ｅＮｏｄｅＢにより、ＣｏＭＰ測定セットとして構成される。図５に示される例では、ワイヤレスデバイス５４０及び５５０のために異なる測定セットが構成され得る。例えば、ワイヤレスデバイス５４０のための測定セットは、ＴＰ１及びＴＰ２によって送信されるＣＳＩ−ＲＳリソースからなり得る。何故なら、これらの地点が、デバイス５４０への送信に好適であり得るからである。ワイヤレスデバイス５５０のための測定セットは、代わりに、ＴＰ２及びＴＰ３によって送信されるＣＳＩ−ＲＳリソースからなるように構成され得る。これらのワイヤレスデバイスは、それぞれの測定セットに対応する送信地点についてのＣＳＩ情報をレポートし、それにより、例えば、各デバイスにとって最も適切な送信地点をネットワークが選択できるようにする。
【００３１】
「集約フィードバック（Aggregate  feedback）」−これは、複数のＣＳＩ−ＲＳの集約に対応する１つのチャネルについての１つのＣＳＩレポートに対応する。例えば、複数のＣＳＩ−ＲＳに関連付けられているすべてのアンテナ上における１つの結合送信について、１つの結合ＰＭＩ／ＲＩ／ＣＱＩを推奨することができる。
【００３２】
しかしながら、結合サーチは、ＵＥにとって計算要求が高すぎるおそれがある。簡略化された集約の形は、ＣＳＩ−ＲＳリソースごとのＰＭＩと組み合わせられる集約ＣＱＩを評価することであり、ＣＳＩ−ＲＳリソースごとのＰＭＩは、典型的には全て、集約された１つ若しくは複数のＣＱＩに対応する同じランクのものとなるはずである。このような方式は、集約されたフィードバックがＣＳＩ−ＲＳリソースごとのフィードバックと多くの情報を共有し得る、という利点もまた有する。これは有益である。何故なら、数多くのＣｏＭＰ送信方式がＣＳＩ−ＲＳリソースごとのフィードバックを必要としており、また、ＣｏＭＰ方式を動的に選択する柔軟性をｅＮｏｄｅＢに与えるために、集約されたフィードバックが、典型的に、ＣＳＩ−ＲＳリソースごとのフィードバックと並列に送信されるだろうからである。コヒーレントな結合送信をサポートするために、このようなＣＳＩ−ＲＳリソースごとのＰＭＩを位相整合情報で増強することができ、それにより、受信側で信号がコヒーレントに合成されるようにｅＮｏｄｅＢがＣＳＩ−ＲＳリソースごとのＰＭＩを回転させることが可能となる。
【００３３】
効率的なＣｏＭＰ又は協調送信動作のためには、ＣＱＩを決定する際に適切な干渉前提を捕捉することが、適切な所望の受信信号を捕捉することと同じくらい重要である。協調クラスタ内では、いずれか特定のＴＦＲＥ内でどのＴＰがＵＥに干渉を与えるかを、ｅＮｏｄｅＢはかなりの程度まで制御できる。このため、どのＴＰが他の端末へデータを送信しているかによって、複数の干渉仮説があるであろう。したがって、換言すれば、例えば関連付けられたＴＦＲＥ上で協調クラスタ内のすべてのＴＰをミューティングすることにより、ネットワークは、ＩＭＲ上で見られる干渉を制御することができる。この場合、端末は、ＣｏＭＰクラスタ間の干渉を効果的に測定するであろう。図５に示される例では、これは、ＩＭＲに関連付けられたＴＦＲＥにおいてＴＰ１、ＴＰ２、及びＴＰ３をミューティングすることに対応する。しかしながら、様々なＣｏＭＰ送信仮説を考慮して、ＵＥの性能をｅＮｏｄｅＢが正確に評価できることが不可欠である。さもなければ、動的な協調の意味がなくなる。よって、システムは、多様な送信及びブランキング仮説に対応する様々なクラスタ内干渉レベルもまた追跡／推定できる必要がある。
【００３４】
例えば、動的地点ブランキング方式について考慮されたい。この方式では、１つの特定のＵＥについて少なくとも２つの関連する干渉仮説がある。一方の干渉仮説では、ＵＥは、協調送信地点からの干渉を認識しない。他方の仮説では、ＵＥは、隣接地点からの干渉を認識する。ＴＰをミューティングすべきかどうかをネットワークが効果的に判断できるように、ネットワークは、異なる干渉仮説に対応する２つ又は通常複数のＣＳＩをレポートするようＵＥを構成し得る。引き続き図５の例で、ワイヤレスデバイス５５０がＴＰ３からのＣＳＩを測定するよう構成されているものとする。しかしながら、ネットワークが送信をどのようにスケジュールするかによって、ＴＰ２からの干渉送信が潜在的にあり得る。このため、ネットワークは、一方はＴＰ２がサイレントであるという、他方はＴＰ２が干渉信号を送信しているという、２つの干渉仮説について、ＴＰ３により送信されるＣＳＩ−ＲＳを測定するようにデバイス５５０を構成し得る。
【発明の概要】
【発明が解決しようとする課題】
【００３５】
協調送信又はＣｏＭＰフィードバックを導入する利得を享受するためには、無線ネットワークノード又は基地局、例えばｅＮｏｄｅＢ、が適切なダウンリンク割り当てを選択するために多様な協調送信の仮説についてＵＥ又はワイヤレスデバイスの性能を正確に予測できることが不可欠である。この目的のために、端末における正確な干渉測定が、様々な送信仮説を対象とするＣＳＩレポーティングのための重要な要素である。しかしながら、干渉測定のための現時点の最先端の解決策は、現時点の標準によって、及び／又はデータチャネルのＵＥ固有のミューティングにより課される制限によって制約され、正確な干渉測定を困難とし、特に、ＵＥへの送信地点の関連付けが時間にわたって動的に変化するという動的地点選択及び／又は結合送信を採用するＣｏＭＰシステムについてはそうである。さらに、例えば送信地点の関連付けといった、ＵＥに対する送信構成が時間にわたって動的に変化する場合に、依然としてＵＥが受信した送信信号を正確に復号可能であることが不可欠である。
【００３６】
このため、ワイヤレス通信システムにおいて情報搬送信号を送信するために様々な送信構成が利用可能である場合に、データチャネルのＵＥ固有のミューティングなどの、複数のミューティング構成の取り扱いが改善される必要がある。
【００３７】
したがって、本開示の少なくともいくつかの実施形態の目的は、ワイヤレス通信システムにおいて情報搬送信号を送信するために様々な送信構成が利用可能な場合に、受信ノードにおいて受信した情報搬送信号を正しく復号する可能性を向上することである。さらなる目的は、ワイヤレス通信システムにおいてＣｏＭＰ送信のためのデータチャネルのＵＥ固有のミューティングの可能性を向上することである。
【課題を解決するための手段】
【００３８】
第１の観点によれば、上記及び他の目的は、送信ノードにより受信ノードへ送信される情報搬送信号を受信するための、当該受信ノードにおける方法によって達成される。受信ノード及び送信ノードは、ワイヤレス通信システムに含まれる。上記受信ノードへ上記情報搬送信号を送信するために、複数の送信構成が利用可能である。当該方法は、送信ノードから動的構成メッセージを受信することを含む。動的構成メッセージは、複数のあり得るミューティング構成の中の少なくとも１つのミューティング構成を上記受信ノードに対して識別する。当該方法は、送信ノードから上記情報搬送信号を受信することと、上記少なくとも１つのミューティング構成を考慮して、受信した上記情報搬送信号を復号することと、をさらに含む。上記少なくとも１つのミューティング構成によりミューティングされるものとして識別される時間−周波数リソースエレメント（ＴＦＲＥ）上で受信ノードにより復号されることが期待される情報が送信されないこと、を前提とすることにより、当該少なくとも１つのミューティング構成は考慮される。
【００３９】
第２の観点によれば、上記及び他の目的は、受信ノードへ情報搬送信号を送信するための、送信ノードにおける方法によって達成される。受信ノード及び送信ノードは、ワイヤレス通信システムに含まれる。上記受信ノードへ上記情報搬送信号を送信するために、複数の送信構成が利用可能である。当該方法は、複数のミューティング構成を決定することを含む。上記複数のミューティング構成の中の各ミューティング構成は、上記複数の送信構成の中の少なくとも１つの送信構成に対応する。当該方法は、上記複数の送信構成から、上記受信ノードへ上記情報搬送信号を送信するための送信構成を選択することと、上記受信ノードへ動的構成メッセージを送信することと、を含む。動的構成メッセージは、上記複数のミューティング構成のうち上記選択された送信構成に対応する少なくとも１つのミューティング構成を上記受信ノードに対して識別する。当該方法は、上記選択された送信構成に従う送信で上記受信ノードへ上記情報搬送信号を送信することをさらに含み、当該送信は、識別された少なくとも１つのミューティング構成に従ってミューティングされる。
【００４０】
第３の観点によれば、上記及び他の目的は、送信ノードから情報搬送信号を受信するための受信ノードによって達成される。当該受信ノードは、ワイヤレス通信システムにおいて送信ノードと通信するよう構成可能である。上記受信ノードへ上記情報搬送信号を送信するために、複数の送信構成が利用可能である。当該受信ノードは、無線回路及び処理回路を含む。当該処理回路は、送信ノードから動的構成メッセージを上記無線回路を介して受信するよう構成される。動的構成メッセージは、複数のあり得るミューティング構成の中の少なくとも１つのミューティング構成を上記受信ノードに対して識別する。当該処理回路は、さらに、送信ノードから上記情報搬送信号を上記無線回路を介して受信し、及び、上記少なくとも１つのミューティング構成を考慮して、上記受信した情報搬送信号を復号するよう構成される。上記少なくとも１つのミューティング構成によりミューティングされるものとして識別される時間−周波数リソースエレメント（ＴＦＲＥ）上で受信ノードにより復号されることが期待される情報が送信されないこと、を前提とすることにより、当該少なくとも１つのミューティング構成は考慮される。
【００４１】
第４の観点によれば、上記及び他の目的は、受信ノードへ情報搬送信号を送信するための送信ノードによって達成される。当該送信ノードは、受信ノードと通信するために無線回路に接続可能であるよう構成される。よって、当該送信ノードは、ワイヤレス通信システムにおいて受信ノードと通信するよう構成可能である。上記受信ノードへ上記無線回路を介して上記情報搬送信号を送信するために、複数の送信構成が利用可能である。当該送信ノードは、複数のミューティング構成を決定するよう構成された処理回路を含む。上記複数のミューティング構成の中の各ミューティング構成は、上記複数の送信構成の中の少なくとも１つの送信構成に対応する。当該処理回路は、さらに、上記複数の送信構成から、上記情報搬送信号を上記受信ノードへ送信するための送信構成を選択するよう構成される。当該処理回路は、さらに、動的構成メッセージを上記受信ノードへ上記無線回路を介して送信するよう構成される。動的構成メッセージは、上記複数のミューティング構成の中から上記選択した送信構成に対応する少なくとも１つのミューティング構成を上記受信ノードに対して識別する。当該処理回路は、さらに、当該選択した送信構成に従う送信で情報搬送信号を上記受信ノードへ上記無線回路を介して送信するよう構成される。当該送信は、識別された少なくとも１つのミューティング構成に従ってミューティングされる。
【００４２】
上記の目的が達成されるのは、送信ノードにより複数のミューティング構成が決定され、かつ、少なくとも１つのミューティング構成が、受信ノードへ情報搬送信号を送信するために送信ノードにより使用される選択された送信構成に対応するためであって、受信ノードが受信した情報搬送信号を復号する際に適用可能であるように当該少なくとも１つのミューティング構成についての通知が動的構成メッセージにおいてなされるからであり、それにより、受信ノードは受信した情報搬送信号を正しく復号することができる。
【００４３】
さらに、選択される送信構成に関与する送信地点により適用されるミューティング構成に対応するように、受信ノードにおいて適用されるミューティング構成が動的構成メッセージを通じてもたらされる場合には、例えばＣｏＭＰ送信用のデータチャネルをミューティングするための、ＵＥ等の受信ノードに固有のミューティング構成を有する可能性が改善される。
【発明の効果】
【００４４】
上記方法の効果は、受信ノードへ情報搬送信号を送信する送信元である異なる送信地点に適用されるミューティング構成に従って、受信ノードのミューティング構成がもたらされる場合に、ワイヤレスシステムにおいてリンク適応及びＣＳＩレポーティングが改善される、ということである。
【００４５】
その上、実際のクラスタ内干渉が存在する場合に、システム内の変化するトラフィックの負荷によってバイアスが課せられることなく、性能をより適切に反映するように干渉測定がなされ得る。これはひいては、ワイヤレスシステムにおけるリンク適応及びスペクトル効率の改善につながる。
【図面の簡単な説明】
【００４６】
【図１】ＬＴＥにおけるプリコーデッド空間多重化モードの送信構造を示す概略ブロック図である。
【図２】ＬＴＥの時間−周波数リソースグリッドを示す概略図である。
【図３】セル固有リファレンス信号を示す概略図である。
【図４】リファレンス信号の例示的なレイアウトを示す概略図である。
【図５】ワイヤレスネットワークにおける協調クラスタを示す概略図である。
【図６】ワイヤレスネットワークにおける協調クラスタを示す概略図である。
【図７】ワイヤレスネットワークにおける協調クラスタを示す概略図である。
【図８】ワイヤレスネットワークにおける協調クラスタ内でのシナリオを示す概略図である。
【図９】いくつかの実施形態に従った方法を示すフロー図である。
【図１０】いくつかの実施形態に従った送信ノードを示すブロック図である。
【図１１】いくつかの実施形態に従った受信ノードを示すブロック図である。
【発明を実施するための形態】
【００４７】
このセクションでは、いくつかの例示的な実施形態により、本発明をより詳細に説明する。なお、これらの実施形態は互いに排他的ではない。１つの実施形態からの構成要素が別の実施形態に存在することを、暗黙の前提としてよい。また、それらの構成要素が他の例示的な実施形態においてどのように使用され得るかを、当業者は理解するであろう。
【００４８】
本開示では、本発明を例示するために３ＧＰＰ（3rd  Generation  Partnership  Project）  ＬＴＥの専門用語を使用しているが、これは、本発明の範囲を上述のシステムのみに限定するものとみなされてはならない。ＷＣＤＭＡ（Wideband  Code  Division  Multiple  Access）システム、ＷｉＭａｘ（Worldwide  Interoperability  for  Microwave  Access）システム、ＵＭＢ（Ultra  Mobile  Broadband）システム、及びＧＳＭ（Global  System  for  Mobile  Communications）システムを含む他のワイヤレスシステムもまた、本開示内でカバーされている着想を活用することで恩恵を受け得る。
【００４９】
さらに、ｅＮｏｄｅＢ及びＵＥなどの専門用語は、非限定的とみなすべきであり、特に、それら２つの間の何らかの階層的関係を示唆するものではない。一般に、“ｅＮｏｄｅＢ”という用語又は基地局は、第１のデバイス、第１のノード、又は送信ノードとみなすことができ、“ＵＥ”という用語は、第２のデバイス、第２のノード、又は受信ノードとみなすことができ、これら２つのデバイスは、無線チャネル上で互いに通信する。無線チャネルは多様なタイプであってよく、例えば多入力多出力の“ＭＩＭＯ”チャネルであってよい。本明細書では、ダウンリンクにおける、すなわちｅＮｏｄｅＢからＵＥへのワイヤレス送信にも焦点を合わせるが、本明細書で説明されている実施形態の教示内容は、ＵＥからｅＮｏｄｅＢへのアップリンクにおいても等しく適用可能である。したがって、そのような実施形態では、受信ノードがｅＮｏｄｅＢ又は基地局であり、送信ノードがＵＥであり得る。
【００５０】
上述のように、ＵＥにおける干渉測定をネットワークがよりよく制御できるように、干渉測定リソース（IＭＲ）がＬＴＥ標準により採用されている。対応するＩＭＲ上で特定の送信地点のセットをミューティングすることにより、ＵＥは、その近辺においてミューティングされていない送信地点に起因する残留干渉のみを測定するようになる。このため、送信地点の協調クラスタにおいては、ＩＭＲのリソースエレメント上ですべての協調送信地点がミューティングされる場合に、ＩＭＲは、協調クラスタの外部にある、制御されていない残留干渉を測定するための強力なツールである。しかしながら、１つのＵＥについて１つの送信構成を選択するためには、様々な送信及びブランキング仮説に対応する様々なクラスタ内干渉レベルもまた追跡／推定できることが、システムには必要である。このため、複数の互いに異なるＩＭＲの構成を可能とすることが提案されている。それら様々なＩＭＲにおいて、例えば様々な送信地点上で対応してデータ送信をミューティングすることにより、関連する様々な（クラスタ内）干渉仮説を実現することについて、ネットワークが責任を有し、また、ＵＥは、様々なクラスタ内干渉仮説に対応して複数の干渉測定を実行するものとされ、それらは複数のＩＭＲを構成するという手段でなされ、それにより、様々な干渉仮説についてのＣＱＩレポーティングが可能となる。したがって、特定のレポートされたＣＱＩを特定のＩＭＲと関連付けることにより、関連するＣＱＩを効果的なスケジューリングのためにネットワークに対して利用可能にすることができる。
【００５１】
このため、ネットワークは、様々なＩＭＲ上で測定される干渉が望ましい干渉仮説に対応するように送信を構成する責任を有する。すなわち、各ＩＭＲについて、送信地点のセットがミューティングされ、残りの協調（及び非協調）送信地点からのみのクラスタ内干渉が、そのＩＭＲ上に存在するようになる。
【００５２】
特定のＵＥへの送信に複数の送信地点が関与するか、又は、当該送信が複数の送信地点の間で変化するシステムにおいて、例えば、動的地点選択及び／又は結合送信、すなわち複数の送信地点からの送信で動作しているシステムにおいては、当該ＵＥに固有の構成されたミューティングパターンと、関与している２つの異なる送信地点の潜在的に異なる対象ミューティングパターンのうちの１つと、の間に不整合が存在するであろう、ということに本発明者らは気付いた。この状況が図８に示されている。同図で、ＵＥ８０３は、例えばＲＲＣシグナリングにおいて、ネットワークによりミューティング構成８１５で構成されている。当該構成では、ＵＥ８０３は、ＩＭＲ２  ８５５及びＩＭＲ３  ８６０に含まれるＴＦＲＥがミューティングされるものと期待する一方で、ＩＭＲ１  ８５０上では送信が発生し得るとＵＥ８０３は期待する。現時点においては、ＵＥ８０３はＴＰ１  ８０１を介してネットワークに接続されている。この送信地点は、ＩＭＲ２  ８４０及びＩＭＲ３  ８４５上で送信がミューティングされる一方でＩＭＲ１  ８３５上では送信が発生し得るミューティング構成８１０で、ネットワークにより構成されている。これはまたＵＥ８０３のミューティング構成でもあるので、ＵＥ８０３は、ＩＭＲ２及びＩＭＲ３のミューティングされたＴＦＲＥの周囲にマップされたコードワードを復調／復号することができる。しかしながら、ＵＥ８０３のネットワークへの接続がＴＰ２  ８０２に切り替わると、ＴＰ２  ８０２のミューティング構成８０５とＵＥ８０３のミューティング構成８１５との間に不整合が存在することになる。例えば、ＵＥ８０３がＩＭＲ１  ８５０のＴＦＲＥ上で送信を期待する一方で、ＴＰ２  ８０２のミューティング構成８０５によれば、ＩＭＲ１  ８２０はミューティングされる。これは、ＩＭＲ１のミューティングされたＴＦＲＥの周囲にマップされたコードワードをＵＥ８０３が復調／復号できないことを意味し、したがって、送信された情報をＵＥ８０３がもはや解釈できないことを意味する。他方、もしＴＰ２  ８０２がその後、ＩＭＲ１  ８２０上で送信を行えば、ＩＭＲ１  ８２０上で他のＵＥが行う測定の結果が変わってしまい、それらの測定がＣＳＩレポーティングのために十分な情報をもはや与えることができなくなる。これは、リンク適応を悪化させ、ネットワークの全体的な性能及びスペクトル効率を低下させてしまう。
【００５３】
本開示の実施形態によれば、選択された伝送構成に適用可能なミューティング構成でＵＥを動的に構成することにより、上記の状況は回避される。これは、ＵＥへの送信のためにどの送信地点が選択されるかに依存して、当該１つ以上の送信地点のミューティングパターンと互換性のある、ミューティングされるものとＵＥが期待するＴＦＲＥのセットとしての、動的に構成可能なデータ／制御ミューティングパターンで、ＵＥがｅＮｏｄｅＢなどの無線ネットワークノードにより構成されることを意味する。これは、例えば、各ミューティング構成が少なくとも１つの伝送構成に適用可能な、ミューティング構成８７５、８８０、８８５のテーブル８７０の形で実現されてもよい。図８の例では、ミューティング構成Ｍｕｔｅ１  ８７５は、ＵＥ８０３への送信信号がＴＰ１  ８０１から送信される伝送構成に対応し、ミューティング構成Ｍｕｔｅ２  ８８０は、ＵＥ８０３への送信信号がＴＰ２  ８０２から送信される伝送構成に対応し、ミューティング構成Ｍｕｔｅ３  ８８５は、ＵＥ８０３への送信信号がＴＰ１  ８０１及びＴＰ２  ８０２から送信される伝送構成に対応する。したがって、この後者の場合、ＩＭＲ１  ８３５及びＩＭＲ２  ８２５上ではミューティングが実施されないのに対し、ＩＭＲ３はミューティングされることを、ＵＥ８０３は前提とすることになる。というのも、ＴＰ１  ８０１もＴＰ２  ８０２も、ＩＭＲ３  ８３０、８４５上では送信を行わないからである。
【００５４】
例えばダウンリンクデータ送信においてミューティングされることを前提とされるべきリソースエレメントを決定する１つ以上のミューティング構成のインジケータを、例えばＰＤＣＣＨ上のダウンリンク制御情報（ＤＣＩ）フォーマット内でビットによる標識によってＵＥへ動的にシグナリングすることにより、所与の時点（instance）においてＵＥへ送信を行っている１つ以上の特定の送信地点にとって望ましいミューティングパターンに、ミューティングパターンを調整して適合させてもよい。これにより、ＵＥ固有のミューティング構成と、特定の送信地点にとって望ましいミューティングパターンと、の間の不整合の問題が解決される。
【００５５】
異なる送信地点が異なるセルに属している協調クラスタにおいて、例えばＣｏＭＰといった協調送信及び受信を運用する際の別の困難は、第一に、異なる送信地点が、例えば異なるＣＲＳシフト及び異なる数のＣＲＳアンテナポートを含む異なるＣＲＳ構成に対応するＴＦＲＥの異なるセット上で、ＣＲＳを送信し得ることであり、第二に、異なる送信地点が、異なるＰＤＣＣＨ領域を有し得ること、すなわち、ＰＤＣＣＨに充てられる初期ＯＦＤＭシンボルの数が異なり得ること、である。これは、複数の送信地点のうちの１つの、単一のサービングセルに接続されているＵＥへのＰＤＳＣＨ送信が、隣接送信地点へ切り替えられる場合に、困難なものになる。というのも、その場合、ＰＤＳＣＨが、ＰＤＣＣＨ及びその隣接送信地点により送信されるＣＲＳと衝突し得るからである。これらの問題もまた、本開示の実施形態により軽減される。
【００５６】
図５は、本発明の多様な実施形態を実現し得る例示的なワイヤレス通信システム５００を示す。３つの送信地点５１０、５２０、及び５３０は、ＣｏＭＰ協調クラスタを形成している。以下においては、限定ではなく例示の目的のために、通信システム５００はＬＴＥシステムであるものとする。送信地点５１０、５２０、及び５３０は、ｅＮｏｄｅＢ５６０により制御されるリモート無線ユニット（ＲＲＵ）である。代替的なシナリオ（図示せず）では、複数の送信地点を別々のｅＮｏｄｅＢにより制御することもできる。当然のことながら、概して、ｅＮｏｄｅＢなどの各ネットワークノードは１つ以上の送信地点を制御し得るが、それらの送信地点は、当該ネットワークノードと物理的に同じ場所に位置していてもよいし、地理的に分散されていてもよい。図５に示されるシナリオでは、送信地点５１０、５２０、及び５３０は、例えば光ケーブル又はポイントツーポイントのマイクロ波接続によって、ｅＮｏｄｅＢ５６０に接続されているものとする。クラスタを形成する送信地点のうち一部又はすべてが異なるｅＮｏｄｅＢによって制御される場合、それらのｅＮｏｄｅＢは、送信及び受信のあり得る協調のために情報を交換できるように、例えばトランスポートネットワークにより、互いに接続されていることが前提とされる。
【００５７】
本明細書の例では、例示の目的でｅＮｏｄｅＢに言及するが、本発明がいかなるネットワークノードにも適用されることを理解されたい。本開示で使用される“ネットワークノード”という表現は、例えばｅＮｏｄｅＢ、ＮｏｄｅＢ、Ｈｏｍｅ  ｅＮｏｄｅＢ、もしくはＨｏｍｅ  ＮｏｄｅＢ等のいかなる無線基地局も、また、ＣｏＭＰクラスタのすべてもしくは一部を制御する他のいかなるタイプのネットワークノードも、包含することが意図される。
【００５８】
通信システム５００は、２つのワイヤレスデバイス５４０及び５５０をさらに含む。本開示のコンテキスト内では、“ワイヤレスデバイス”という用語は、ワイヤレス信号を送信及び／又は受信することによって基地局などのネットワークノードや別のワイヤレスデバイスと通信することのできる、あらゆるタイプのワイヤレスノードを包含する。このため、“ワイヤレスデバイス”という用語は、ユーザ機器、移動端末、Ｍ２Ｍ（machine-to-machine）通信用の固定式又は移動式のワイヤレスデバイス、集積型又は埋め込み型のワイヤレスカード、外部プラグインワイヤレスカード、ドングル等を包含するが、これらに限定されない。また、ワイヤレスデバイスは、例えば基地局といったネットワークノードであってもよい。本開示を通じて、“ユーザ機器”という用語が使用されるときはいつも、限定と解釈されるべきではなく、上に定義したようないかなるワイヤレスデバイスをも包含するものと理解されるべきである。
【００５９】
リファレンス信号リソースは、所望の信号に対応する１つ以上のリファレンス信号が受信されるリソースエレメントのセットを含む。特定の実施形態では、リファレンス信号リソースは、ＣＳＩ−ＲＳリソースである。しかしながら、リファレンス信号リソースは、所望の信号を推定するのに使用され得る他のいかなるタイプのＲＳリソースであってもよく、例えばＣＲＳリソースであってもよい。
【００６０】
より一般的には、いくつかの実施形態は、情報搬送信号を受信するための、受信ノードにおける方法を提供する。当該方法について、図５と図９のフロー図とを参照して以下に説明する。情報搬送信号は、送信ノード５６０により受信ノード５４０へ送信される。受信ノード５４０及び送信ノード５６０は、ワイヤレス通信システム５００に含まれる。情報搬送信号を受信ノード５４０へ送信するために、複数の、送信構成（transmission  configurations）とも称される伝送構成（transmit  configurations）が利用可能である。１つの伝送構成には、送信ノード５６０により制御される１つ以上の送信地点５１０、５２０、５３０からの送信が関与し得る。隣接送信ノードにより制御される少なくとも１つの送信地点が、他の伝送構成に追加的に関与してもよい。受信ノード５４０は、例えば、ＵＥ又はワイヤレスデバイスであり得る。送信ノード５６０は、例えば、ｅＮｏｄｅＢなどの無線ネットワークノードであり得る。ワイヤレス通信システム５００は、実施形態によっては、受信ノード５４０への送信のために協調マルチポイント送信を適用するように構成され得る。そして、ＣｏＭＰ送信により、複数の伝送構成のうちの少なくともいくつかが提供され得る。受信ノード５４０は、ＣｏＭＰ送信のためにＣＳＩをフィードバックするように構成され、又はＣＳＩをフィードバック可能であり得る。
【００６１】
ステップ９１０で、受信ノード５４０は、送信ノード５６０から動的構成メッセージを受信する。動的構成メッセージは、複数のあり得るミューティグン構成の中の少なくとも１つのミューティング構成を、受信ノードに対して識別する。複数のミューティング構成は、ゼロ電力のＣＳＩ−ＲＳで構成可能な、すなわちゼロ電力のＣＳＩ−ＲＳ構成として構成されることのできる、時間−周波数リソースエレメント（ＴＦＲＥ）をカバーするミューティング構成を含み得る。それらに加えて、又はそれらに代えて、複数のミューティング構成は、少なくとも１つのＣＲＳ構成のＴＦＲＥをカバーする少なくとも１つのミューティング構成を含んでもよい。さらに、複数のミューティング構成は、あるＯＦＤＭシンボルのすべてのＴＦＲＥをカバーする少なくとも１つのミューティング構成を含んでもよい。実施形態によっては、ゼロ電力のＣＳＩ−ＲＳで構成可能なＴＦＲＥをカバーするミューティング構成が、少なくとも１つのＣＲＳ構成のＴＦＲＥ及び／又はあるＯＦＤＭシンボルのすべてのＴＦＲＥを追加でカバーしてもよい。
【００６２】
実施形態によっては、当該少なくとも１つのミューティング構成は、動的構成メッセージ内のインジケータによって識別され得る。このインジケータは、ダウンリンク制御情報（ＤＣＩ）フォーマット内の１つ以上のビットを含み得る。当該少なくとも１つのミューティング構成は、ゼロ電力のチャネル状態情報リファレンス信号（ＣＳＩ−ＲＳ）の構成を含み得る。いくつかの実施形態によれば、当該少なくとも１つのミューティング構成は、少なくとも１つのセル固有リファレンス信号（ＣＲＳ）構成のＴＦＲＥ及び／又はある直交周波数分割多重（ＯＦＤＭ）シンボルのすべてのＴＦＲＥを追加で又は代替的にカバーし得る。
【００６３】
ステップ９２０で、受信ノード５４０は、送信ノード５６０から情報搬送信号を受信する。情報搬送信号は送信ノード５６０から、１つ以上の送信地点５１０、５２０、５３０を介して協調送信で受信され得る。いくつかの実施形態では、それらの送信地点は送信ノード５６０により制御され得る。他の実施形態では、当該１つ以上の送信地点のうち少なくとも１つが隣接送信ノードにより制御され得る。協調送信は、実施形態によっては、協調マルチポイント送信であり得る。情報搬送信号は、例えば、ダウンリンクデータ及び／又は制御送信信号であり得る。
【００６４】
ステップ９３０で、受信ノード５４０は、上記少なくとも１つのミューティング構成を考慮して、受信した情報搬送信号を復号する。少なくとも１つのミューティング構成を考慮に入れるために、受信ノード５４０は、少なくとも１つのミューティング構成によりミューティングされるものとして識別される時間−周波数リソースエレメント（ＴＦＲＥ）上では受信ノード５４０により復号されることが期待される情報が送信されないこと、を前提とする。いくつかの実施形態によれば、現行のサブフレームにおいて送信ノード５６０から受信された動的構成メッセージ内で識別される少なくとも１つのミューティング構成が、当該現行のサブフレーム内の情報搬送信号の復号のために受信ノード５４０により適用され得る。
【００６５】
少なくとも１つのミューティング構成は、いくつかの例では、データ及び／又は制御信号がそれらの上で送信されないことを受信ノード５４０が前提とし得る時間−周波数リソースエレメントの、動的ミューティングパターンであり得る。このような例では、ミューティングパターンは、それが、所与の時点において受信ノード５４０へ送信を行っている１つ以上の特定の送信地点にとって望ましいミューティングパターンにマッチするように、送信ノード５６０により調整されたＴＦＲＥのミューティングパターンである、という点で、動的である。当該所与の時点は、動的構成メッセージが送信ノード５６０から受信される現行の（current）サブフレームであり得る。そして、当該現行のサブフレーム内の情報搬送信号の復号のために、ミューティングパターンが適用される。
【００６６】
さらなる実施形態は、情報搬送信号を送信するための、送信ノードにおける方法を提供する。当該方法について、図５と図９のフロー図とを参照して以下に説明する。この方法は、同じ図５及び図９を参照して上で説明した受信ノードの方法に対応している。送信ノードは、協調マルチポイント送信用のクラスタ、例えば図５に示されるクラスタＴＰ１〜ＴＰ３、に含まれているか、又はそのクラスタを制御する。より一般的には、送信ノードは、クラスタと関連付けられる。具体的な例として、送信ノードは、リモート無線ヘッドであるＴＰ１〜ＴＰ３を制御するｅＮｏｄｅＢ５６０であってもよい。図６に示すような代替的なシナリオでは、送信ノードは、受信ノード６４０がその中に位置するＣｏＭＰクラスタ６００を形成している送信地点ＴＰ１〜ＴＰ３に対応する３つのセクターアンテナを有する、ｅＮｏｄｅＢである。さらに別のシナリオでは、図７に示すように、受信ノード７４０がその中に位置するＣｏＭＰクラスタ７００をＴＰ１〜ＴＰ３が形成し、送信ノードは、ＴＰ１及びＴＰ３を制御するｅＮｏｄｅＢか、ＴＰ２を制御しピコセル７２０にサービスするｅＮｏｄｅＢか、のいずれかであってよい。
【００６７】
この方法において、送信ノード５６０により受信ノード５４０へ情報搬送信号が送信される。受信ノード５４０及び送信ノード５６０は、ワイヤレス通信システム５００に含まれる。情報搬送信号を受信ノード５４０へ送信するために、複数の、送信構成とも称される伝送構成が利用可能である。１つの伝送構成には、送信ノード５６０により制御される１つ以上の送信地点５１０、５２０、５３０からの送信が関与し得る。隣接送信ノードにより制御される少なくとも１つの送信地点が、他の伝送構成に追加的に関与してもよい。受信ノード５４０は、例えば、ＵＥ又はワイヤレスデバイスであり得る。送信ノード５６０は、例えば、ｅＮｏｄｅＢなどの無線ネットワークノードであり得る。ワイヤレス通信システム５００は、実施形態によっては、送信ノード５６０による送信のために協調マルチポイント送信を適用するように構成され得る。そして、ＣｏＭＰ送信により、複数の伝送構成のうちの少なくともいくつかが提供され得る。受信ノード５４０は、ＣｏＭＰ送信のためにＣＳＩをフィードバックするように構成され、又は、ＣＳＩをフィードバック可能であり得る。
【００６８】
ステップ９４０で、送信ノード５６０は、複数のミューティング構成を決定する。複数のミューティング構成のうちの各ミューティング構成は、上記複数の伝送構成のうちの少なくとも１つの伝送構成に対応し、又は関連付けられ得る。複数のミューティング構成は、ゼロ電力のＣＳＩ−ＲＳで構成可能な、すなわちゼロ電力ＣＳＩ−ＲＳ構成として構成されることのできる、時間−周波数リソースエレメント（ＴＦＲＥ）をカバーする、ミューティング構成を含み得る。それらに加えて、又はそれらに代えて、複数のミューティング構成は、少なくとも１つのＣＲＳ構成のＴＦＲＥをカバーする少なくとも１つのミューティング構成を含んでもよい。さらに、複数のミューティング構成は、あるＯＦＤＭシンボルのすべてのＴＦＲＥをカバーする少なくとも１つのミューティング構成を含んでもよい。実施形態によっては、ゼロ電力のＣＳＩ−ＲＳで構成可能なＴＦＲＥをカバーするミューティング構成が、少なくとも１つのＣＲＳ構成のＴＦＲＥ及び／又はあるＯＦＤＭシンボルのすべてのＴＦＲＥを追加的にカバーしてもよい。実施形態によっては、複数の伝送構成のうちの各伝送構成が、上記複数のミューティング構成のうちの１つ以上のミューティング構成と関連付けられる。いくつかの実施形態では、複数のミューティング構成は、受信ノード５４０がＣＳＩ情報をレポートすることを要求されたかもしれない複数のダウンリンク送信仮説に対応し得る。
【００６９】
ステップ９５０で、送信ノード５６０は、複数の伝送構成から、情報搬送信号を受信ノード５４０へ送信するための伝送構成を選択する。実施形態によっては、伝送構成は、受信ノード５４０からレポートされたＣＳＩ情報に基づいて選択されてよい。選択された伝送構成は、複数のダウンリンク送信仮説のうちの特定の１つに対応し得る。
【００７０】
ステップ９６０で、送信ノード５６０は、動的構成メッセージを受信ノード５４０へ送信する。動的構成メッセージは、複数のミューティング構成の中から少なくとも１つのミューティング構成を、受信ノード５４０に対して識別する。当該少なくとも１つのミューティング構成は、選択された伝送構成に対応し、又は関連付けられる。実施形態によっては、当該少なくとも１つのミューティング構成は、動的構成メッセージ内のインジケータによって識別され得る。このインジケータは、ダウンリンク制御情報（ＤＣＩ）フォーマット内の１つ以上のビットを含み得る。当該少なくとも１つのミューティング構成は、ゼロ電力のチャネル状態情報リファレンス信号（ＣＳＩ−ＲＳ）の構成を含み得る。いくつかの実施形態によれば、当該少なくとも１つのミューティング構成は、少なくとも１つのセル固有リファンレンス信号（ＣＲＳ）構成のＴＦＲＥ及び／又はある直交周波数分割多重（ＯＦＤＭ）シンボルのすべてのＴＦＲＥを追加で又は代替的にカバーし得る。
【００７１】
ステップ９７０で、送信ノード５６０は、選択された伝送構成に従った送信で、情報搬送信号を受信ノード５４０へ送信する。この送信は、識別された少なくとも１つのミューティング構成に従って、又は換言すれば、選択された伝送構成と関連付けられている少なくとも１つのミューティング構成に従って、ミューティングされる。いくつかの実施形態によれば、現行のサブフレームにおいて送信ノード５６０により送信される動的構成メッセージで識別される少なくとも１つのミューティング構成は、当該現行のサブフレーム内での情報搬送信号の復号のために受信ノード５４０によって適用されることが意図され得る。当該少なくとも１つのミューティング構成は、いくつかの例では、データ及び／又は制御信号がそれらの上で送信されないことを受信ノード５４０が前提とし得る時間−周波数リソースエレメントの動的ミューティングパターンであり得る。そのような例では、ミューティングパターンは、それが、所与の時点において受信ノード５４０へ送信を行っている１つ以上の特定の送信地点にとって望ましいミューティングパターンにマッチするように、送信ノード５６０によって調整され得るＴＦＲＥのミューティングパターンである、という点で、動的である。当該所与の時点は、動的構成メッセージが送信ノード５６０により送信される現行のサブフレームであり得る。そして、当該現行のサブフレーム内の情報搬送信号の復号のために、ミューティングパターンが受信ノード５４０により適用される。
【００７２】
情報搬送信号は、送信ノード５６０により、１つ以上の送信地点５１０、５２０、５３０を介して協調送信で送信され得る。いくつかの実施形態では、これらの送信地点は、送信ノード５６０により制御され得る。他の実施形態では、当該１つ以上の送信地点のうちの少なくとも１つが、隣接送信ノードにより制御され得る。協調送信は、実施形態によっては、協調マルチポイント送信であり得る。情報搬送信号は、ダウンリンクデータ及び／又は制御信号であり得る。
【００７３】
上述の方法がＬＴＥ標準に従うワイヤレス通信システムにおいて実現される場合、受信ノード５４０はサービングセルによりサービスされるユーザ機器（ＵＥ）であり、送信ノード５６０はｅＮｏｄｅＢであり得る。そして、少なくとも１つのミューティング構成は、動的構成メッセージ内でｅＮｏｄｅＢにより送信され及びＵＥにより受信されるインジケータから、ＵＥのサービングセルのシステム情報から、及び／又はｅＮｏｄｅＢからＵＥへの専用の無線リソース制御メッセージから、決定され得る。
【００７４】
さらに、これらの方法がＬＴＥ標準に従うワイヤレス通信システムにおいて実現される場合、物理ダウンリンク共有チャネルのリソースエレメントマッピングを特定する情報が、上記少なくとも１つのミューティング構成、物理ダウンリンク制御チャネルにより占有されるＯＦＤＭシンボルの数に関する情報、ＣＲＳにより占有されるＴＦＲＥ、及び、構成された非ゼロ電力のＣＳＩ−ＲＳ、のうちの１つ以上を含み得る。いくつかのこのような実施形態では、物理ダウンリンク共有チャネルのリソースエレメントマッピングを特定する情報は、当該少なくとも１つのミューティング構成を、物理ダウンリンク制御チャネルにより占有されるＯＦＤＭシンボルの数に関する情報、ＣＲＳにより占有されるＴＦＲＥ、及び、構成された非ゼロ電力のＣＳＩ−ＲＳ、のうちの１つ以上と共に、含む。
【００７５】
上記方法の効果は、受信ノードへ情報搬送信号を送信する送信元である様々な送信地点に適用されるミューティング構成に従って、受信ノードのミューティング構成がもたらされる場合に、ワイヤレスシステムにおいてリンク適応及びＣＳＩレポーティングが改善される、ということである。
【００７６】
上述の方法では、“動的”とは、例えば準静的な無線リソース制御（ＲＲＣ）再構成よりも、実質的に素早く発生するものと解釈されるべきである。典型的な場合は、動的構成が即時的であって、特定のダウンリンク割り当てに関連付けられている場合である。
【００７７】
ミューティング構成、例えばミューティングパターンは、複数のサブフレームにまたがってよく、場合によっては周期的に繰り返されてもよい。さらに、そのようなミューティングパターン内でミューティングされるリソースエレメントは、すべてのサブフレームに存在するのではなく、例えば、特定の周期性で繰り返される単一のサブフレーム内にのみ現れてもよい。
【００７８】
このような複数サブフレームのミューティングパターンについては、そのようなパターンが動的に構成される場合、受信された信号の復号のためには、当該受信信号のサブフレームに対応するミューティングパターンが適用されることを前提とする、ということを理解されたい。
【００７９】
ミューティングパターンが単一のサブフレームのみにおよぶようにすることも考えることができ、その場合、ミューティングパターンの動的構成は、現時点のサブフレーム（又は、関連付けられたダウンリンク割り当てのサブフレーム）内における信号の復号のために、単一サブフレームのミューティングパターンを適用することに対応する。
【００８０】
また、ミューティングパターンの特別な例は、ミューティングが一切ないパターンである。
【００８１】
データ／制御のミューティングは、様々な方法で実現され得る。１つの一般的な方法は、データ送信をパンクチャすることである。すなわち、あたかもミューティングがないかのようにデータ／制御コードワードがマップされ、その後、ミューティングされるべきリソースエレメントが、ゼロ送信電力に設定される。代替的に、コードワードは、ミューティングされたリソースエレメントの周囲にレートマッチングされる（すなわち、周囲にマップされる）。後者のオプションの方が性能はよいが、ＵＥが正確なミューティングパターンを完全に理解していなければ、復号はできない。このため、ミューティングがパンクチャされる場合には、データがパンクチャされることをＵＥが「前提としてよい」だけで十分である。何故なら、異なる前提も破局的（catastrophic）ではない、つまり、性能に重大な影響を及ぼさないためである。これに対し、レートマッチングの場合、ＲＥのセット上でデータがミューティングされることをＵＥは「前提とするものとする」。何故なら、異なる前提は破局的な性能につながるためである。
【００８２】
また、上記動的ミューティングパターンが、典型的に、データ及び／又は制御チャネル、例えばＰＤＳＣＨ、の完全なリソースエレメントマッピングを特定することはないことにも留意されたい。物理ダウンリンク共有チャネル（ＰＤＳＣＨ）のＲＥマッピングに影響を及ぼす他のパラメータは、物理ダウンリンク制御チャネル（ＰＤＣＣＨ）により占有されるＯＦＤＭシンボルの数、ＣＲＳ送信のマッピング（例えば、ＰＤＳＣＨは、ＣＲＳによって占有されたＴＦＲＥ上にはマップされない）、構成された非ゼロ電力のＣＳＩ−ＲＳ、等を含み得る。
【００８３】
第１の実施形態では、上記動的ミューティング構成は、ＵＥへ送信される動的インジケータ、ＵＥのサービングセルのシステム情報、及び／又はｅＮｏｄｅＢからＵＥへの専用の無線リソース制御メッセージ、によって完全に決定される。すなわち、どの隣接セルがブロードキャストしたどのシステム情報も、復号して上記情報を取得することを、ＵＥは期待されていない。
【００８４】
１つの実施形態では、上記動的ミューティングパターン又はミューティング構成は、ゼロ電力のＣＳＩ−ＲＳ構成である。
【００８５】
別の実施形態では、上記動的ミューティングパターンは、ゼロ電力のＣＳＩ−ＲＳ構成として構成され得るリソースエレメントに限定され得る。
【００８６】
別の実施形態では、上記動的ミューティング構成のうちの少なくとも１つは、少なくとも１つのＣＲＳ構成のＴＦＲＥをカバーする。
【００８７】
この実施形態は、特定のＣＲＳ構成上でＰＤＳＣＨを動的にミューティングすることができる、という利点を有する。このため、異なるＣＲＳ構成を有する２つの送信地点間でＵＥが動的にスケジュールされる場合、近隣送信地点がそのＣＲＳを送信しているＴＦＲＥ上でＰＤＳＣＨを受信しないように、ＵＥは通知され得る。これは、ＵＥへのＰＤＳＣＨ送信が上記隣接送信地点から発せられている場合に、特に有用である。
【００８８】
別の実施形態では、上記動的ミューティング構成のうちの少なくとも１つは、あるＯＦＤＭシンボルのすべてのＴＦＲＥをカバーする。こうした場合の特別なケースでは、当該少なくとも１つの動的ミューティング構成が、最初のＮ個のＯＦＤＭシンボルのすべてのＴＦＲＥをカバーする。典型的に、Ｎは、１つの隣接セルのあり得るＰＤＣＣＨ領域に対応して、１つ、２つ、又は３つのＯＦＤＭシンボルである。
【００８９】
この実施形態は、異なるセルに属する隣接送信地点がそのＰＤＣＣＨを送信しているＯＦＤＭシンボル内においてＰＤＳＣＨを受信しないようにＵＥに指示することができる、という利点を有する。これは、上記ＵＥへの送信が上記隣接送信地点から発せられている場合に、非常に有用である。
【００９０】
ゼロ電力のＣＳＩ−ＲＳ構成である動的ミューティングパターンは、ＬＴＥリリース１０の端末もまた、それらはゼロ電力のＣＳＩ−ＲＳで構成可能であることから、特定のリソース上でミューティングされるように構成され得る、という利点を有する。併せて留意すべきは、リリース１０のＵＥはマルチポイントＣＳＩフィードバックが不可能であるため、送信地点の切り替えの候補とはならないであろうということ、また、したがって、これらの端末についてはゼロ電力のＣＳＩ−ＲＳを静的に割り当てれば十分であるということ、である。
【００９１】
さらに別の実施形態では、方法は、さらに、候補となるミューティングパターンの列挙されたセットを識別する構成メッセージをｅＮｏｄｅＢから受信することを含む。ここで、上記動的な構成は、上記列挙された候補ミューティングパターンの特定のサブセットを示し、上記動的ミューティングパターンは、上記候補ミューティングパターンの特定のサブセットの集合体（union）とオーバラップする。
【００９２】
１つのこうした実施形態では、上記候補ミューティングパターンのセットのうちの少なくとも１つが、１つのゼロ電力ＣＳＩ−ＲＳ構成をカバーする。
【００９３】
１つのこうした実施形態では、上記候補ミューティングパターンのセットのうちの少なくとも１つが、１つのＣＲＳ構成のＴＦＲＥをカバーする。
【００９４】
別のこうした実施形態では、上記候補ミューティングパターンのセットのうちの少なくとも１つが、１つのＯＦＤＭシンボルのすべてのＴＦＲＥをカバーする。
【００９５】
上記実施形態の特別なケースでは、上記特定のサブセットが単一の候補ミューティングパターンを含む（又は、そのパターンに限定される）、ということを理解されたい。このコンテキストでは、サブセットが厳密な（strict）サブセットに限定されるべきではないこともまた注記しておく。すなわち、サブセットは、上記列挙された候補ミューティングパターンのすべてを含む可能性が大いにある。
【００９６】
さらに別のこうした実施形態では、動的ミューティングパターンは、上記候補ミューティングパターンの特定のサブセットと、ＵＥのために構成される静的（又は準静的）ミューティングパターンとの集合体である。
【００９７】
例えば、ＵＥへの送信が（例えばＣｏＭＰ測定セット内のリソースに対応する）どの送信地点から送信されてくるかに関わらずミューティングされるべきリソースエレメントをカバーするゼロ電力（ＺＰ）ＣＳＩ−ＲＳ構成を、ＵＥについて構成することができる。この共通のミューティング構成の上に、例えば２つの異なる候補送信地点の望ましいミューティング構成間の違いのみをカバーする１つの動的な部分を、構成することができる。
【００９８】
代替的な実施形態では、上記動的ミューティングパターンは、構成された静的（又は準静的）なミューティングパターンとして決定されるが、上記動的構成が、その静的なミューティングパターンによりミューティングが示されていてもデータをその上でミューティングしてはならないリソースエレメントのセットを示す。すなわち、動的な非ミューティング構成が、静的なミューティング構成をオーバライドする。
【００９９】
１つのこうした実施形態では、静的なミューティングパターンは、zeroTxPowerResourceConfigListを含むパラメータにより構成されるゼロ電力ＣＳＩ−ＲＳの列挙されたセットであり、上記動的構成はビットマップを識別し、当該ビットマップにおいて、各ビットは、zeroTxPowerResourceConfigListにより構成される通りの特定のゼロ電力ＣＳＩ−ＲＳに対応するミューティングについて、ミューティングされるべきでないかどうかを決定する。
【０１００】
代替的に、別の実施形態では、動的ミューティングパターンは、zeroTxPowerResourceConfigListを含むパラメータにより構成される通りのゼロ電力のＣＳＩ−ＲＳの列挙されたセットであり、動的構成メッセージはビットマップを識別してよく、当該ビットマップにおいて、各ビットは、zeroTxPowerResourceConfigListにより構成される通りの特定のゼロ電力ＣＳＩ−ＲＳをミューティングすべきかどうかを決定する。
【０１０１】
別の実施形態では、ｅＮｏｄｅＢからＵＥに、複数の送信ノード又は地点の複数の望ましいミューティングパターンが通知され、上記動的構成が、上記送信信号を受信すべき特定の送信ノード又は地点を識別する。
【０１０２】
ここで、“送信仮説”の概念は、例えば、どの送信地点が送信をしているか、及び／又はどのサブフレーム上で送信が発生するか、及び／又はどのサブバンドで送信が発生するか、という観点からの特定の割り当てに対応する。
【０１０３】
本発明の実施形態は、ＵＥ固有のミューティング構成により課せられるいかなる制限もなしに、ＩＭＲ上で干渉の組成を自由に構築する解決策を提供する。さらに、実際のクラスタ内干渉が存在する場合に、システム内で変化するトラフィックの負荷によってバイアスが課せられることなく、性能をより適切に反映するように干渉測定がなされ得る。
【０１０４】
これは、ワイヤレスシステムにおけるリンク適応及びスペクトル効率の改善につながる。
【０１０５】
図１０及び図１１は、図９に関連して説明した方法を実行するように構成された装置を示す。
【０１０６】
図１０は、情報搬送信号を受信ノード５４０へ送信するための送信ノード１０００を示す。送信ノード１０００は、処理回路１０２０を含み、ワイヤレス通信システム５００内で受信ノード５４０と通信するために無線回路１０１０と接続可能なように構成される。情報搬送信号を無線回路１０１０を介して受信ノード５４０へ送信するために、複数の、伝送構成とも称される送信構成が利用可能である。実施形態によっては、ワイヤレス通信システム５００は、協調マルチポイント送信を適用するように構成され得る。そして、送信ノード１０００は、ＣｏＭＰ送信により複数の送信構成のうちの少なくともいくつかを提供するように構成され得る。いくつかの変形例では、無線回路１０１０は送信ノード１０００に含まれるのに対し、他の変形例では、無線回路１０１０は外部にある。例えば、図５の例示的なシナリオでは、送信ノード５６０が送信ノード１０００に対応する。この例における無線回路は、送信ノード５６０と物理的に同一の場所に位置していない分散型送信地点ＴＰ１〜ＴＰ３に存在する。しかしながら、図６に示される例では、送信地点は、送信ノード、例えばｅＮｏｄｅＢ、にあるセクターアンテナに対応し、この場合、無線回路は、当該送信ノードに含まれ得る。送信ノード５６０、１０００は、メモリ１０３０と、ネットワークノードと通信するためのネットワークインタフェース１０４０と、処理回路１０２０と、を含む。
【０１０７】
処理回路１０２０は、複数のミューティング構成を決定するよう構成される。複数のミューティング構成のうちの各ミューティング構成は、複数の送信構成のうちの少なくとも１つの送信構成に対応し、又は関連付けられ得る。複数のミューティング構成は、ゼロ電力のＣＳＩ−ＲＳで構成可能な、すなわちゼロ電力のＣＳＩ−ＲＳ構成として構成されることのできる、時間−周波数リソースエレメント（ＴＦＲＥ）をカバーするミューティング構成を含み得る。それらに加えて、又はそれらに代えて、複数のミューティング構成は、少なくとも１つのＣＲＳ構成のＴＦＲＥをカバーする少なくとも１つのミューティング構成を含んでもよい。さらに、複数のミューティング構成は、あるＯＦＤＭシンボルのすべてのＴＦＲＥをカバーする少なくとも１つのミューティング構成を含んでもよい。実施形態によっては、ゼロ電力のＣＳＩ−ＲＳで構成可能なＴＦＲＥをカバーするミューティング構成が、少なくとも１つのＣＲＳ構成のＴＦＲＥ及び／又はあるＯＦＤＭシンボルのすべてのＴＦＲＥを追加的にカバーしてもよい。
【０１０８】
処理回路１０２０は、さらに、上記複数の送信構成から、情報搬送信号を受信ノード５４０へ送信するための送信構成を選択するように、そして、上記複数のミューティング構成のうち、その選択した送信構成に対応する、又は当該送信構成と関連付けられる少なくとも１つのミューティング構成を受信ノード５４０に対して識別する動的構成メッセージを、無線回路１０１０を介して受信ノード５４０へ送信するように、構成される。実施形態によっては、処理回路１０２０は、当該少なくとも１つのミューティング構成を、動的構成メッセージ内のインジケータによって示すように構成され得る。当該インジケータは、ダウンリンク制御情報（ＤＣＩ）フォーマット内の１つ以上のビットを含み得る。当該少なくとも１つのミューティング構成は、ゼロ電力のチャネル状態情報リファレンス信号（ＣＳＩ−ＲＳ）の構成を含み得る。いくつかの実施形態によれば、当該少なくとも１つのミューティング構成は、少なくとも１つのセル固有リファンレンス信号（ＣＲＳ）構成のＴＦＲＥ及び／又はある直交周波数分割多重（ＯＦＤＭ）シンボルのすべてのＴＦＲＥを追加で又は代替的にカバーし得る。さらに、いくつかの実施形態によれば、少なくとも１つのミューティング構成が情報搬送信号の復号のために受信ノード５４０により適用されることが意図される現行のサブフレームにおいて、当該少なくとも１つのミューティング構成を識別する動的構成メッセージを送信するように、処理回路１０２０は構成され得る。いくつかの例では、当該少なくとも１つのミューティング構成は、データ及び／又は制御信号がその上で送信されないことを受信ノード５４０が前提とし得る時間−周波数リソースエレメントの動的ミューティングパターンであり得る。そのような例では、所与の時点において受信ノード５４０へ送信を行っている１つ以上の特定の送信地点にとって望ましいミューティングパターンにマッチするようにミューティングパターンを調整するよう処理回路１０２０が構成され得る、という点で、当該ミューティングパターンは動的である。当該所与の時点は、処理回路１０２０が動的構成メッセージをその中で送信するように構成され、及びミューティングパターンがその中で情報搬送信号の復号のために受信ノード５４０により適用される、現行のサブフレームであり得る。
【０１０９】
加えて、処理回路１０２０は、情報搬送信号を無線回路１０１０を介して受信ノード５４０へ、選択した送信構成に従った送信で送信するように構成される。この送信は、識別された少なくとも１つのミューティング構成に従ってミューティングされる。処理回路１０２０は、１つ以上の送信地点５１０、５２０、５３０で、無線回路１０１０を介して、協調送信で情報搬送信号を送信するよう構成されてもよい。これらの送信地点は、いくつかの実施形態では、送信ノード１０００により制御され得る。他の実施形態では、当該１つ以上の送信地点のうちの少なくとも１つが、隣接送信ノードにより制御され得る。協調送信は、実施形態によっては、協調マルチポイント送信であり得る。情報搬送信号は、ダウンリンクデータ及び／又は制御信号であり得る。
【０１１０】
送信ノード１０００の代替的な実現例では、送信ノード１０００は、ハードウェア、ソフトウェア、ファームウェア、又はそれらの任意の組み合わせで実現されることのできるいくつかの機能ユニットを含み得る。一実施形態では、送信ノード１０００は、複数のミューティング構成を決定するよう構成された決定ユニットと、上記複数の送信構成から送信構成を選択するよう構成された選択ユニットと、少なくとも１つのミューティング構成を識別する動的構成メッセージ、及び情報搬送信号を受信ノード５４０へ送信するよう構成された送信ユニットと、を含む。これらの機能ユニットの構成のさらなる詳細は、処理回路１０２０に関連して対応する機能について上述した内容に従う。
【０１１１】
図１１は、送信ノード５６０から情報搬送信号を受信するための受信ノード１１００を示す。この受信ノードは、メモリ１１３０と、無線回路１１１０と、処理回路１１２０とを含み、ワイヤレス通信システム５００において送信ノード５６０と通信するよう構成可能である。情報搬送信号を受信ノード１１００へ送信するために、複数の、伝送構成とも称される送信構成が利用可能である。ワイヤレス通信システム５００は、実施形態によっては、協調マルチポイント送信を適用するよう構成されてもよい。そして、受信ノード１１００は、ＣｏＭＰ送信により、上記複数の伝送構成のうちの少なくともいくつかが提供されることを期待するように構成され得る。受信ノード１１００は、ＣｏＭＰ送信のためにＣＳＩをフィードバックするように構成され、又は、ＣＳＩをフィードバック可能であり得る。
【０１１２】
処理回路１１２０は、複数のあり得るミューティング構成の中の少なくとも１つのミューティング構成を受信ノード５４０、１１００に対して識別する動的構成メッセージを、送信ノード５６０から無線回路１１１０を介して受信するように構成される。複数のミューティング構成は、ゼロ電力のＣＳＩ−ＲＳで構成可能な、すなわちゼロ電力のＣＳＩ−ＲＳ構成として構成されることのできる、時間−周波数リソースエレメント（ＴＦＲＥ）をカバーするミューティング構成を含み得る。それらに加えて、又はそれらに代えて、複数のミューティング構成は、少なくとも１つのＣＲＳ構成のＴＦＲＥをカバーする少なくとも１つのミューティング構成を含んでもよい。さらに、複数のミューティング構成は、あるＯＦＤＭシンボルのすべてのＴＦＲＥをカバーする少なくとも１つのミューティング構成を含んでもよい。実施形態によっては、ゼロ電力のＣＳＩ−ＲＳ構成可能なＴＦＲＥをカバーするミューティング構成が、少なくとも１つのＣＲＳ構成のＴＦＲＥ及び／又は１つのＯＦＤＭシンボルのすべてのＴＦＲＥを追加的にカバーしてもよい。
【０１１３】
実施形態によっては、処理回路１１２０は、動的構成メッセージ内のインジケータによって、当該少なくとも１つのミューティング構成を識別するように構成され得る。このインジケータは、ダウンリンク制御情報（ＤＣＩ）フォーマット内の１つ以上のビットを含み得る。当該少なくとも１つのミューティング構成は、ゼロ電力のチャネル状態情報リファレンス信号（ＣＳＩ−ＲＳ）の構成を含み得る。いくつかの実施形態によれば、当該少なくとも１つのミューティング構成は、少なくとも１つのセル固有リファレンス信号（ＣＲＳ）構成のＴＦＲＥ及び／又はある直交周波数分割多重（ＯＦＤＭ）シンボルのすべてのＴＦＲＥを追加で又は代替的にカバーし得る。
【０１１４】
処理回路１１２０は、さらに、情報搬送信号を送信ノード５６０から上記無線回路１１１０を介して受信するように構成される。処理回路１１２０は、送信ノード５６０から情報搬送信号を、１つ以上の送信地点５１０、５２０、５３０を介して協調送信で受信するように構成され得る。いくつかの実施形態では、これらの送信地点は、送信ノード５６０により制御され得る。他の実施形態では、当該１つ以上の送信地点のうちの少なくとも１つが、隣接送信ノードにより制御され得る。協調送信は、実施形態によっては、協調マルチポイント送信であり得る。情報搬送信号は、例えば、ダウンリンクデータ及び／又は制御送信信号であり得る。
【０１１５】
処理回路１１２０は、さらに、少なくとも１つのミューティング構成によりミューティングされるものとして識別される時間−周波数リソースエレメント（ＴＦＲＥ）上では受信ノード５４０、１１００により復号されることが期待される情報が送信されないこと、を前提とすることにより、上記少なくとも１つのミューティング構成を考慮して、受信した情報搬送信号を復号するように構成される。いくつかの実施形態によれば、当該少なくとも１つのミューティング構成が情報搬送信号の復号のために受信ノード１１００により適用されることとなっている現行のサブフレームにおいて、当該少なくとも１つのミューティング構成を識別する動的構成メッセージを送信ノード５６０から受信するように、処理回路１１２０は構成され得る。いくつかの例では、当該少なくとも１つのミューティング構成は、データ及び／又は制御信号がその上で送信されないことを前提とするように処理回路１１２０が構成され得る時間−周波数リソースエレメントの動的ミューティングパターンであり得る。そのような例では、ミューティングパターンは、それが、所与の時点において受信ノード１１００へ送信を行っている１つ以上の特定の送信地点にとって望ましいミューティングパターンにマッチするように送信ノード５６０により調整されたミューティングパターンである、という点で、動的である。当該所与の時点は、動的構成メッセージが送信ノード５６０からその中で受信され、及びミューティングパターンが情報搬送信号の復号のためにその中で適用される、現行のサブフレームであり得る。
【０１１６】
受信ノード１１００の代替的な実現例では、受信ノード１１００は、ハードウェア、ソフトウェア、ファームウェア、又はそれらの任意の組み合わせで実現されることのできるいくつかの機能ユニットを含み得る。一実施形態では、受信ノード１１００は、動的構成メッセージを受信し、及び情報搬送信号を受信するように構成された受信ユニットと、受信した情報搬送信号を少なくとも１つのミューティング構成を考慮して復号するように構成された復号ユニットと、を含む。これらの機能ユニットの構成のさらなる詳細は、処理回路１１２０に関連して対応する機能について上述した内容に従う。
【０１１７】
処理回路１０２０、１１２０は、１つ又はいくつかのマイクロプロセッサ、デジタル信号プロセッサなど、並びに、他のデジタルハードウェア及びメモリを含み得る。メモリは、読み取り専用メモリ（ＲＯＭ）、ランダムアクセスメモリ、キャッシュメモリ、フラッシュメモリ装置、光記憶装置など、１つ又はいくつかのタイプのメモリを含んでよく、１つ以上の遠隔通信及び／又はデータ通信プロトコルを実行するためのプログラムコード、及び、本明細書で説明した技術のうちの１つ以上を実行するためのプログラムコードを記憶する。メモリは、さらに、受信ノードから受信されたユーザデータ及びプログラムデータを記憶する。
【０１１８】
本明細書で説明した技術のステップのすべてが、単一のマイクロプロセッサにおいて又は単一のモジュールにおいても必ずしも実行されるものではない。
【０１１９】
なお、本開示では、本発明を例示するために、３ＧＰＰ  ＬＴＥの専門用語を使用してきたが、これは、前述のシステムのみに本発明の範囲を限定するものとみなされるべきではない。ＷＣＤＭＡ（Wideband  Code  Division  Multiple  Access）、ＷｉＭａｘ（Worldwide  Interoperability  for  Microwave  Access）、ＵＭＢ（Ultra  Mobile  Broadband）、及びＧＳＭ（Global  System  for  Mobile  Communications）を含む他のワイヤレスシステムもまた、本開示内でカバーされている着想を活用することにより、恩恵を受け得る。
【０１２０】
「を含む（comprise又はcomprising）」という文言を使用する場合、それは、非限定的であると、すなわち「から少なくともなる」という意味であると解釈されたい。
【０１２１】
本発明は、上述の好ましい実施形態に限定されない。様々な代替例、変形例、及び均等物が使用されてもよい。したがって、上述の実施形態は、本発明の範囲を限定するものと捉えられてはならない。本発明の範囲は、添付の特許請求の範囲により定義される。
【図１】
0006329133.tif 000003
【図２】
0006329133.tif 000004
【図３】
0006329133.tif 000005
【図４】
0006329133.tif 000006
【図５】
0006329133.tif 000007
【図６】
0006329133.tif 000008
【図７】
0006329133.tif 000009
【図８】
0006329133.tif 000010
【図９】
0006329133.tif 000011
【図１０】
0006329133.tif 000012
【図１１】
0006329133.tif 000013